(57)【要約】  本発明は、動物小屋からスラリー又は類似物を収集及び除去するのに使用されるためのデバイス１、このようなデバイスを有する動物小屋、及び豚小屋などの動物小屋にデバイスを据え付ける方法に関連し、ここでは、デバイスが一体ボディ２を有し、この一体ボディ２が、１つ又は複数のファンネル３であって、各ファンネルが、上側縁部３ａ’によって囲まれる上側水平方向エリアを有する少なくとも１つの上側開口部３ａ、及び下側縁部３ｂ’によって囲まれる下側水平方向エリアを有する下側開口部３ｂを有し、上側水平方向エリアが下側水平方向エリアより大きく、したがってファンネルの内部３’がファンネルの上側開口部から下側開口部まで延在する、１つ又は複数のファンネル３と、ファンネルの下側縁部からファンネルの上側縁部までファンネルを囲む包囲部分４であって、その結果、包囲部分とファンネルとの間において通気スペース５が一体ボディの中に画定される、包囲部分４と、を有する。
2021516043.tif 000002
【特許請求の範囲】
【請求項１】
豚小屋などの動物小屋からスラリー又は類似物を収集及び除去するのに使用するためのデバイス（１）であって、前記デバイス（１）は一体ボディ（１ａ）を有し、前記一体ボディ（１ａ）は、
１つ又は複数のファンネル（３）であって、各ファンネルが、上側縁部（３ａ’）によって囲まれた上側水平方向エリアを有する少なくとも１つの上側開口部（３ａ）、及び下側縁部（３ｂ’）によって囲まれた下側水平方向エリアを有する下側開口部（３ｂ）を有し、前記上側水平方向エリアが前記下側水平方向エリアより大きく、したがって前記ファンネル（３）の内部（３’）が、前記ファンネル（３）の前記上側開口部（３ａ）から前記下側開口部（３ｂ）まで延びている、１つ又は複数のファンネル（３）と、
前記ファンネルの前記下側縁部（３ｂ’）から前記ファンネルの前記上側縁部（３ａ’）まで前記ファンネル（３）を囲む包囲部分であって、それにより前記包囲部分（４）と前記ファンネル（３）との間であって前記一体ボディ（１ａ）内に通気スペース（５）が画定される、包囲部分と
を有している、デバイス（１）。
【請求項２】
前記下側開口部（３ｂ）が出口パイプ（８）に接続されるように構成され、それにより前記ファンネル（３）から前記出口パイプ（８）まで、スラリーのための密閉経路が提供される、請求項１に記載のデバイス（１）。
【請求項３】
前記ファンネルが、前記ファンネル（３）の前記上側縁部（３ａ’）の近くに配置される１つ又は複数の通気孔（６）を有する、請求項１又は２に記載のデバイス（１）。
【請求項４】
前記デバイス（１）が、前記包囲部分（４）に少なくとも１つの通気開口部（７）を有し、それにより前記１つ又は複数の通気孔（６）と前記通気開口部（７）との間で空気が流れることを可能にする、請求項３に記載のデバイス（１）。
【請求項５】
前記通気孔（６）のうちの少なくともいくつかが１つ又は複数のカバー要素（１０）によって覆われ、それによりスラリー又は類似物が前記通気孔（６）を通って前記通気スペースに入ることが防止される、請求項３に記載のデバイス（１）。
【請求項６】
前記デバイス（１）がプラスチック材料で、好適には高密度ポリエチレン（ＨＤＰＥ）材料を含むプラスチック材料で作られる、請求項１に記載のデバイス（１）。
【請求項７】
前記一体ボディ（１ａ）が、回転成形製造プロセスによって作られる、請求項１に記載のデバイス（１）。
【請求項８】
前記ファンネル（３）が、３０〜６０度の範囲の、また好適には４０〜５０度の範囲の、垂直方向からの傾斜角（Ａ１）である内側表面（１１’）を有する、請求項１から７までのいずれか一項に記載のデバイス（１）。
【請求項９】
前記一体ボディ（１ａ）が少なくとも２つのファンネル（３）を有し、前記ファンネル（３）が並んで配置され、それにより前記第１のファンネル（２）の前記上側縁部（３ａ’）の少なくとも一部分が前記第２のファンネル（３）の前記上側縁部（３ａ’）の少なくとも一部分と隣接している、請求項１から８までのいずれか一項に記載のデバイス（１）。
【請求項１０】
前記包囲部分（４）が、前記包囲部分（４）の外側表面と、隣接するデバイス（１）などの隣接する要素との間に最小距離（Ｄ）の隙間（４，ｇａｐ）を維持するために、前記包囲部分（４）の前記外側表面上に複数の突出部を有している、請求項１から９までのいずれか一項に記載のデバイス（１）。
【請求項１１】
前記下側開口部（３ｂ）及び前記上側開口部（３ａ）の各々が中心（ｃｂ、ｃａ）を有し、前記下側開口部の中心（ｃｂ）が、前記ファンネル（３）の中心軸から垂直に測定して距離Ｚのところに位置し、前記ファンネルの中心軸は前記上側開口部（３ａ）の延在範囲に対して垂直に且つ前記上側開口部の中心（ｃａ）を通って延びている、請求項１から１０までのいずれか一項に記載のデバイス（１）。
【請求項１２】
単一のファンネル（３）を有する前記デバイス（１）の最大幅が、およそ１．０〜１．８ｍの間であり、たとえば１．１〜１．７ｍの間又はおよそ１．２〜１．５ｍの間である、請求項１から１１までのいずれか一項に記載のデバイス（１）。
【請求項１３】
前記デバイス（１）の最大高さが、およそ０．７〜１．８ｍの間であり、たとえば０．８〜１．６ｍの間又はおよそ０．９〜１．５ｍの間である、請求項１から１２までのいずれか一項に記載のデバイス（１）。
【請求項１４】
前記デバイス（１）が、一方の端部のところで前記ファンネル（３）の前記内側表面の第１の部分に取り付けられ且つ第２の端部のところで前記ファンネル（３）の内部の第２の部分に取り付けられるプレート構造であって、それにより前記プレート構造と前記ファンネル（３）の前記内部の前記囲まれた部分との間の空洞を囲むプレート構造を有し、前記空洞は、前記ファンネル（３）の外部から前記ファンネル（３）の前記内部に供給される新鮮な空気を、前記空洞を通して前記ファンネル（３）の前記上側開口部に向かうように方向付けるための空気チャンネルとして使用されるように構成されている、請求項１から１３までのいずれか一項に記載のデバイス（１）。
【請求項１５】
豚小屋などの動物小屋における（動物小屋のフロア・レベルの下にある）動物小屋開口部に複数のデバイス（１）を据え付ける方法であって、各デバイス（１）が一体ボディ（１ａ）を有し、前記一体ボディ（１ａ）は、
１つ又は複数のファンネル（３）であって、各ファンネルが、上側縁部（３ａ’）によって囲まれた上側水平方向エリアを有する少なくとも１つの上側開口部（３ａ）、及び下側縁部（３ｂ’）によって囲まれた下側水平方向エリアを有する下側開口部（３ｂ）を有し、前記上側水平方向エリアが前記下側水平方向エリアより大きく、したがって前記ファンネル（３）の内部（３’）が、前記ファンネル（３）の前記上側開口部（３ａ）から前記下側開口部（３ｂ）まで延びている、１つ又は複数のファンネル（３）と、
前記ファンネルの前記下側縁部（３ｂ’）から前記ファンネルの前記上側縁部（３ａ’）まで前記ファンネル（３）を囲む包囲部分であって、それにより前記包囲部分（４）と前記ファンネル（３）との間であって前記一体ボディ（１ａ）内に通気スペース（５）が画定される、包囲部分と
を有し、また前記方法が、
・前記動物小屋開口部内に出口パイプ（８）を据え付けるステップと、
・各ファンネル（３）の前記下側開口部（３ｂ）を出口パイプ（８）に接続するステップであって、それにより密閉経路が前記ファンネル（３）と前記出口パイプ（８）との間に作られる、ステップと、
・各デバイス（１）において前記包囲部分の１つのセクション（１７）を前記包囲部分（４）の他の部分から分離するステップであって、それにより通気開口部（７）を提供するステップと、
・前記複数のデバイス（１）の少なくともいくつかのデバイス（１）の前記ファンネルの前記上側縁部（３ａ’）の近くに１つ又は複数の通気孔（６）を提供するステップであって、それにより空気が前記動物小屋と前記通気スペース（５）との間で移送され得るステップと、
・前記動物小屋開口部の底部の近くに前記複数のデバイス（１）を並んで配置するステップであって、それにより前記デバイスの前記通気スペース（５）を有する通気チャンネルが提供されるステップと
を含む、方法。
【請求項１６】
請求項１から１４までのいずれか一項に記載のデバイス（１）を複数、豚小屋などの動物小屋の動物小屋開口部に据え付ける方法であって、
・前記動物小屋開口部に出口パイプ（８）を据え付けるステップと、
・各ファンネル（３）の前記下側開口部（３ｂ）を出口パイプ（８）に接続するステップであって、それにより密閉経路が前記ファンネル（３）と前記出口パイプ（８）との間に作られる、ステップと、
・前記動物小屋開口部の底部の近くに前記複数のデバイス（１）を並んで配置するステップと
を含む、方法。
【請求項１７】
前記方法が、
・各デバイス（１）において前記包囲部分の１つのセクション（１７）を前記包囲部分（４）の他の部分から分離するステップであって、それにより通気開口部（７）を提供するステップと、
・前記複数のデバイス（１）の少なくともいくつかのデバイス（１）の前記ファンネルの前記上側縁部（３ａ’）の近くに１つ又は複数の通気孔（６）を提供するステップであって、それにより空気が前記動物小屋と前記通気スペース（５）との間で移送され得るステップと、
・前記動物小屋開口部の底部の近くに前記複数のデバイス（１）を並んで配置するステップであって、それにより前記デバイスの前記通気スペース（５）を有する通気チャンネルが提供されるステップと
をさらに含む、請求項１６に記載の方法。
【請求項１８】
前記方法が、
前記包囲部分の前記セクション（１７）の一部分を前記ファンネル（３）の前記上側縁部（３ａ’）の近くに取り付けるステップであって、それにより前記包囲部分の前記セクション（１７）が前記デバイス（１）の前記通気孔（６）のうちの少なくともいくつかの通気孔（６）を覆うステップ
をさらに含む、請求項１５又は１７に記載の方法。
【請求項１９】
前記方法が、
前記複数のデバイス（１）を一体に接着又は溶接するなどといった適切な固定方法によって前記複数のデバイス（１）を接続し、それにより実質的に密閉された通気チャンネルを提供するステップ
をさらに含む、請求項１５から１８までのいずれか一項に記載の方法。
【請求項２０】
前記包囲部分（４）がその外側表面上に複数の突出部を有し、前記複数の突出部は、前記包囲部分（４）の前記外側表面と、隣接するデバイス（１）又は前記動物小屋開口部の側壁などの動物小屋での据え付け時に隣接する要素との間に最小距離Ｄの隙間（４，ｇａｐ）を提供し、また
前記方法が、前記隙間（４，ｇａｐ）をコンクリートなどの材料で充填するステップを含み、それにより剛体構造（１６）を提供し、且つ前記デバイスを据え付け位置に固定する、請求項１５から１９までいずれか一項に記載の方法。
【請求項２１】
前記方法が、
前記デバイス（１）の前記ファンネル（３）の前記上側開口部（３ａ）の上を覆うように、複数の貫通孔（１２’）を有する少なくとも１つのフロア（１２）を配置するステップであって、前記少なくとも１つのフロア（１２）が前記剛体構造（１６）のうちの少なくともいくつかの剛体構造（１６）によって支持され、それにより前記フロア（１２）の重量及び前記フロア（１２）上への荷重が前記剛体構造（１６）に伝達されるステップ
を含む、請求項２０に記載の方法。
【請求項２２】
豚などの動物のための動物小屋（１００）であって、前記動物小屋（１００）が、請求項１６から２１までのいずれか一項に記載の据え付け方法を使用して、前記動物小屋の動物小屋開口部（１０１）内に据え付けられる請求項１から１４までのいずれか一項に記載のデバイス（１）を有する、動物小屋（１００）。
【請求項２３】
出口パイプ（８）が前記ファンネルの前記下側開口部（３ｂ）に接続され、前記出口パイプ（８）は、前記ファンネル（３）の前記下側開口部（３ｂ）から離れる流れを促進するように配置される長手方向において、水平方向からの少なくとも０．１％の、好適には０．１〜０．５％の間の傾斜（Ａ２）を有している、請求項２２に記載の動物小屋（１００）。
【請求項２４】
前記デバイス（１）のうちの少なくともいくつかのデバイス（１）が、複数の貫通孔（１２’）を有する少なくとも１つのフロア（１２）であって、前記デバイス（１）の前記ファンネル（３）の前記上側開口部（３ａ）の上に配置される少なくとも１つのフロア（１２）によって覆われる、請求項２２又は２３に記載の動物小屋（１００）。
【請求項２５】
動物小屋からスラリーを収集及び除去するための、前記動物小屋における請求項１から１４までのいずれか一項に記載のデバイス（１）の使用。
【請求項２６】
豚小屋などの動物小屋からスラリー又は類似物を収集及び除去するために使用されるデバイス（２００）であって、前記デバイス（１）が一体ボディ（１ａ）を有し、前記一体ボディ（１ａ）が、
１つ又は複数のファンネル（３）であって、各ファンネルが、上側縁部（３ａ’）によって囲まれた上側水平方向エリアを有する少なくとも１つの上側開口部（３ａ）、及び下側縁部（３ｂ’）によって囲まれた下側水平方向エリア（ｘｘ）を有する下側開口部（３ｂ）を有し、前記上側エリアが前記下側エリアより大きく、したがって前記ファンネル（３）の前記内部（３’）が、前記ファンネル（３）の前記上側縁部（３ａ’）から前記下側縁部（３ｂ’）まで延べている、１つ又は複数のファンネル（３）と、
前記上側開口部（３ａ）を露出させるように前記ファンネルの前記上側縁部（３ａ’）から前記ファンネルの前記上側縁部（３ａ’）の反対の部分まで延びる包囲部分であって、前記包囲部分は前記ファンネル（３）を囲み、それにより前記包囲部分（４）と前記ファンネル（３）との間であって前記一体ボディ（１ａ）内に通気スペース（５）が画定される、包囲部分と
を有する、デバイス（２００）。
【請求項２７】
前記下側エリアが下側開口部（３ｂ）を有し、それによりスラリーなどが前記上側開口部（３ａ）を通って前記ファンネル（３）内に、そして前記ファンネルの前記下側開口部（３ｂ）を通って流れることができる、請求項２６に記載のデバイス（２００）。
【請求項２８】
前記ファンネルの前記下側開口部（３ｂ）が出口パイプ（８）に接続されるように構成されている、請求項２６又は２７に記載のデバイス（２００）。
【請求項２９】
豚小屋などの動物小屋において動物小屋開口部に請求項２６から２８までのいずれか一項に記載のデバイス（１００）を複数据え付ける方法であって、前記方法が、
・前記包囲部分の２つのセクション（１７）を前記包囲部分（４）の他の部分から分離するステップであって、それにより、貫通チャンネル（１８）を提供するステップと、
・前記デバイス（１００）を前記動物小屋開口部内に配置するステップと、
・出口パイプ（８）を前記貫通チャンネル（１８）内に配置するステップであって、前記出口パイプ（８）がその表面に出口開口部（９）を有している、ステップと、
・前記デバイス（１００）の前記下側開口部（３ｂ）を出口パイプ（８）の出口開口部（９）に接続するステップであって、それにより密閉経路が前記ファンネル（３）と前記出口パイプ（８）との間に作られるステップと
を含み、
前記複数のデバイス（１００）が前記動物小屋開口部の底部の近くで並んで配置され、また前記方法が、
・共通の通気チャンネル（５’）を提供するように、隣接する貫通チャンネル（１８）を接続するステップと、
・共通の出口パイプを提供するように、隣接する出口パイプ（８）を接続するステップと
をさらに含む、方法。
【請求項３０】
請求項２９に記載の据え付け方法を使用して、動物小屋の動物小屋開口部（２ｂ）に据え付けられる請求項２６から２８までのいずれか一項に記載の複数のデバイス（２００）を有する動物小屋（２ａ）。
【請求項３１】
動物小屋からスラリーを収集及び除去するための、動物小屋における請求項２６から２８までのいずれか一項に記載のデバイス（１、２００）の使用。
【請求項３２】
動物のための居住区域としての、及び動物小屋からスラリーを収集及び除去するための請求項２２から２４までのいずれか一項及び／又は３０に記載の複数の動物小屋（２ａ）を有する建物。
【発明の詳細な説明】
【技術分野】
【０００１】
本発明は、スラリー（汚泥物）を収集及び除去するためのデバイスと、このようなデバイスを有する動物小屋（ｓｔｙ）と、このようなデバイスを据え付ける方法とに関する。
【背景技術】
【０００２】
本開示では、スラリーは、排出物、糞便、尿、肥料などのあらゆる種類の動物排泄物、及、食べ残し散乱物、動物飼料、水などとして定義される。一般に、妥当なレベルの衛生状態を維持すること及び特には蒸発アンモニアである空気中の汚染成分の濃度を低減することを目的として、スラリーが動物小屋から少なくとも部分的に除去されることが好ましい。
【０００３】
動物生産では、また特に養豚では、スラリーを動物小屋から効率的に除去するものであり、動物小屋内の空気品質を改善するものであり、また同時に作ることが安価であり、据え付けることが容易であり、且つ環境に優しいシステムを作ることが望ましい。
【０００４】
豚小屋のフロア・レベルの下にあるピットなどの開口部を主として有する、スラリーを収集及び除去するために使用される従来のデバイスでは、スラリーが収集されて持ち出される。スラリーはこれらのピットの中に長期間にわたって配置される可能性があり、これらの開いているピットは大きい表面積を有するものであり、通常、高いレベルのスラリー蒸発を引き起こし、高レベルのアンモニアを空気中にもたらす。さらに、スラリー中の窒素の量の減少は、その施肥特性（ｆｅｒｔｉｌｉｚｉｎｇ  ｐｒｏｐｅｒｔｙ）を低下させる。通常、ピットは格子状のフロアによって覆われており、動物小屋に藁を提供することが困難であり、それにより豚の生活状態が悪化する。したがって、現在、豚小屋のフロアの少なくとも一部が中実のフロアであり、動物小屋の面積の１／３のみが格子状のフロアを有するということが必要である。
【０００５】
デンマーク特許ＤＫ１７６１７９Ｂ１で説明されるシステムは、動物小屋内の空気品質を改善しようと努めるものである。この文献は多数のファンネル（ｆｕｎｎｅｌ）を有するシステムを説明している。ファンネルのピラミッド形状が、従来のスラリー・ピットを使用する場合と比較して、ファンネル内に配置されている状態のスラリーの表面積を縮小する。ピラミッド形状はまた、ピットのフロア内のパイプ・システムへのスラリーのより迅速な移動を促進する。さらに、ファンネルがＨＤＰＥプラスチックで作られることから、スラリー上の摩擦力が低減され、スラリーのより迅速な除去がさらに促進される。ピットのフロア内でパイプ・セクションを突出させることにより、ファンネルがパイプ・システムに接続される。したがって、デバイスがピット内で組み立てられる。通常、２列のファンネルが一体に据え付けられ、ここでは、通気スペースとして使用されるスペースが２列のファンネルの間にある。この目的のため、ファンネルの一方側にある開口部が設けられ、この開口部を通って空気が流れることができる。支持脚部を使用することにより、及びピットの側壁のうちの１つの側壁に接触するようにファンネルを載置することにより、ファンネルが支持される。
【先行技術文献】
【特許文献】
【０００６】
【特許文献１】ＤＫ１７６１７９Ｂ１
【発明の概要】
【発明が解決しようとする課題】
【０００７】
本発明の１つの目的は、デバイス、及びこのデバイスを有する動物小屋を提供することであり、このデバイスが、動物小屋から最適に及び効果的にスラリーを収集及び排出するための手段を有する。本発明の別の目的は、動物小屋内の空気品質を改善し、空気中へ蒸発するアンモニアの量を低減することである。本発明の別の目的は、デバイス、及びデバイスを有する動物小屋を提供することであり、このデバイスがよりコンパクトで単純なデザインを有し、それにより、材料コスト、製作コスト、及び据え付けコストを低減する。別の目的は、デバイス、及びこのデバイスを有する動物小屋を提供することであり、このデバイスは、予め製作され得、既製のデバイスとして据え付けられ得、それにより据え付け時に組み立てを必要とする要素の量を最小にする。また、本発明の目的は、高い耐久性を有して自立式である高品質のデバイスを提供することである。
【課題を解決するための手段】
【０００８】
本発明の第１の態様は、豚小屋などの動物小屋からスラリー又は類似物を収集及び除去するのに使用されるためのデバイスに関連し、ここでは、デバイスが一体ボディ（一体部片ボディ）を有し、この一体ボディが、
１つ又は複数のファンネルであって、各ファンネルが、上側縁部によって囲まれる上側水平方向エリア（ａｒｅａ）を有する少なくとも１つの上側開口部、下側縁部によって囲まれる下側水平方向エリアを有する下側開口部を有し、上側水平方向エリアが下側水平方向エリアより大きく、したがってファンネルの内部がファンネルの上側開口部から下側開口部まで延在する、１つ又は複数のファンネルと、
ファンネルの下側縁部からファンネルの上側縁部までファンネルを囲む包囲部分（ｅｎｃａｐｓｕｌａｔｉｏｎ）であって、その結果、包囲部分とファンネルとの間において通気スペースが一体ボディの中に画定される、包囲部分と
を有する。
【０００９】
有利には、デバイスが、ファンネルの上側開口部から下側開口部ファンネルまで、スラリーのための通路を有する。ファンネルが、上側開口部を通ってスラリーが入るときにスラリーを効果的に収集することができ、ファンネルが、重力によりファンネルの下側開口部に向かって及びデバイスの外部に向かってスラリーが落下するときにスラリーを効果的に排出することができる。スラリーのための通路がデバイスの中央に画定され得る。
【００１０】
ファンネルが切頭体の正方形ピラミッド形状であってよいか、或いは切頭体の円錐又は六角ピラミッドとして成形されてもよい。有利には、円錐の切頭体は、例えば、正方形ピラミッド形状より少ない角部を有し、それにより、ファンネルの内部表面に付着するようなスラリーの発生をさらに低減することができる。有利には、ファンネルがスラリーの表面積を有意に縮小するのを実現することができ、ファンネル内で費やされる時間が短縮されることにより蒸発するアンモニアの量が低減され、それにより動物小屋内の空気品質が改善される。
【００１１】
有利には、デバイスが自立式であり、単純に、据え付け時に任意の表面上に配置され得る。デバイスの下方にコンクリートのチャンネルは必要なく、デバイスは、詰められた砂の底部などの、動物小屋開口部の底部上に配置され得、ここでは上側開口部が動物小屋内の動物の方に向けられている。
【００１２】
デバイスのいくつかのパーツが予め製作され得、その結果、据え付けコストと共に、デバイスを据え付けるために必要となる仕事が最小となる。さらに、デバイスが予め製作されることで、デバイスを品質チェックすることが可能となることを理由として、デバイスを高い基準に合わせてデバイスを制作することが可能となり、それにより、ファンネルに防水性をもたせること及び据え付け前においてデバイスの製作エラーを概してなくすことなどが確実となる。デバイスのすべてのパーツが予め製作され得、その結果、現場で製作されるデバイスのパーツがなくなり、現場で組み立てられるのを必要とするパーツの量を最小にするようなレベルとするようにデバイスが製作され得る。
【００１３】
継ぎ目のない連続的な漏洩防止構造を提供する予め製作される一体デバイスとしてデバイスのボディが製造されることで、デバイスのための作り付けの通気スペースを有利に提供するような中空内部が得られる。デバイスの大部分が、有利には、通気スペースとして利用され得、さらには、通気スペースが、包囲部分の存在により、有利には、ファンネルの外側表面の全体の周りに画定され得る。デバイスの据え付け前、通気孔が包囲部分及び／又はファンネルの中に設けられ得、その結果、空気が通気スペースを介して動物の居住区域から引き出され、動物の居住区域まで供給され得る。かなりの大きさの通気スペースにより、有利には、空気を引き出すのを最も必要とするような動物小屋内のロケーションにおいて空気を引き出すことが見込まれ得るようになり、それにより通気の全体の効率が向上する。
【００１４】
複数のデバイス及び対応する複数の通気スペースが、共通の通気チャンネルを提供するように接続され得る。通気チャンネルが、チャンネル内の空気の通気を実現することができる通気手段に接続され得る。通気孔がこの一体ユニットの中に設けられ得、その結果、空気が動物小屋から引き出されて通気チャンネルの方に誘導され得る。
【００１５】
有利には、デバイスが環境に優しい動物生産のために使用され得る。その理由は、アンモニアの蒸発を非常に低いレベルにまで低減しながらスラリーが迅速且つ効率的な手法で排出され得ることで、デバイスの環境影響が最小となり、また、デバイスが高レベルの動物厚生を実現する、からである。さらに、動物厚生が向上することで動物が必要とする可能性のある薬物治療のレベルが低減され、それによりデバイスの経済的利点が向上する。
【００１６】
１つ又は複数の実施例では、下側開口部が出口パイプに接続されるように構成され、その結果、ファンネルから出口パイプまで、スラリーのための密閉経路が提供される。
【００１７】
出口パイプがその表面内に１つ又は複数の出口開口部を有することができるか、又はその表面から距離をおいて、パイプ・セクションによって延長され得る。１つ又は複数の実施例では、出口パイプが、出口パイプの表面に対して垂直に延在する複数のパイプ・セクションを有することができ、この複数のパイプ・セクションはまた、開口部を有するパイプ・セクションの遠位端から、出口パイプの内部まで、密閉経路を提供するものである。パイプ・セクションの遠位端が、カプラを使用することなどにより、ファンネルの下側開口部に接続されるように構成され得る。パイプ・セクション内の開口部が円形であってよく、加えて、ファンネルの下側開口部も概略円形状であってよい。
【００１８】
１つ又は複数の実施例では、ファンネルが、ファンネルの上側縁部の近くに配置される１つ又は複数の通気孔を有する。
【００１９】
動物のための居住区域のフロア・レベルの近くに通気孔を配置することにより、有利には、アンモニア蒸発の発生源の最も近くの空気を通気させて動物小屋内の動物から離れるように誘導することが可能となる。通気手段は、好適には、空気抽出及び空気供給の手段などにより通気スペースを換気するのを可能にするように、設けられ得る。
【００２０】
１つ又は複数の実施例では、通気孔がファンネルの上側縁部の近くの３つ以上のパーツに分配され得、つまり、例えば、上側縁部のほぼ３つのパーツに分配され得るか又は上側縁部の実質的にほぼ全円周に分配され得る。これは、密閉要素とファンネルとの間に、ファンネルの実質的に外側表面全体の周りを延在することができる通気スペースが作られることで可能となる。通気開口部が、好適にはファンネルの内部と通気スペースとの間でそこを通って空気が流れるのを可能とする経路を提供する。通気開口部は任意の適切なサイズ及び形状を有してよく、例えば、ファンネルの上側開口部から下側開口部までの方向での長さで測定して約２〜８ｃｍの長さであってよく、ファンネルの上側縁部に沿って測定する幅で５〜２０ｃｍであってよく、１０〜１８ｃｍなどであってよい。
【００２１】
１つ又は複数の実施例では、デバイスが、包囲部分の中に少なくとも１つの通気開口部を有し、１つ又は複数の通気孔と通気開口部との間を空気が流れるのを可能にする。
【００２２】
空気は、好適には、通気孔と適切な通気手段に接続される１つ又は複数の通気開口部との間を流れることが可能である。通気スペースは、形成される通気チャンネルの一部であってよいか、又は各々が通気スペースを提供する連続して配置される一連のデバイスであってよい。通気チャンネルが好適には通気手段に接続される。
【００２３】
有利には、ファンネル内のスラリーの上側表面から蒸発するアンモニアが通気孔及び通気スペース５を介して動物小屋から除去されることになり、通気孔及び通気スペース５が空気処理システムを有する通気構成（図示せず）に接続されていてよく、それによりアンモニア含有物を除去する。さらに、空気がファンネルの上側縁部の近くで動物小屋のフロア・レベルから引き出され得、それにより動物小屋フロア近くの及び動物小屋の動物の近くの空気中のアンモニア含有量を低減する。
【００２４】
１つ又は複数の実施例では、通気孔のうちの少なくとも一部の通気孔が１つ又は複数のカバー要素によって覆われ、それによりスラリー又は類似物が上記通気孔を通って通気スペースに入ることが防止される。
【００２５】
デバイスが、ファンネルの上側開口部を通ってスラリーが入るときにスラリーと通気孔との間にバリアを作るように構成される１つ又は複数のカバー要素を供給され得る。１つ又は複数の実施例では、包囲部分の一部分が包囲部分の残りの部分から分離され、それにより通気開口部を作り、また、この一部分が、有利には、１つ又は複数の通気孔にスラリーが入るのを防止するためのカバー要素として使用可能となるように構成され得る。
【００２６】
１つ又は複数の実施例では、包囲部分が構造的な剛性材料で作られ得、その結果、包囲部分がデバイスの残りの部分のための支持構造として追加的に機能することができる。
【００２７】
１つ又は複数の実施例では、デバイスが、好適には高密度ポリエチレン（ＨＤＰＥ：Ｈｉｇｈ  Ｄｅｎｓｉｔｙ  Ｐｏｌｙｅｔｈｙｌｅｎｅ）材料を含む、プラスチック材料で作られる。
【００２８】
包囲部分がＨＤＰＥなどのプラスチック材料で作られ、デバイスの残りの部分のための必要な構造支持体を提供し、有利には自立式であるデバイスを提供し得る。ＨＤＰＥプラスチックは高い強度を有し、軽量であり、環境に優しい材料であり、したがって、軽量であることを理由として据え付けが容易でありさらにはスラリーを取り扱うのに十分な安定性を有しながら最小量の材料を使用して作られ得るデバイスを提供することができる。さらに、有利には、ＨＤＰＥが、スラリー及び肥料をその上で容易に摺動させることができる表面を有する低粘着性材料であり、またＨＤＰＥが、アンモニアが高含有量であることを含めた動物小屋の環境に対して非常に高い耐性を有する。シート材料が、好適には、内側表面から外側表面まで測定して約１０ｍｍの幅を有することができる。加えて、ＨＤＰＥ材料が６０〜７０ショアＤの硬度を有することができる。
【００２９】
１つ又は複数の実施例では、少なくとも一体ボディがＨＤＰＥで作られるが、好適にはデバイス全体がＨＤＰＥなどの同じプラスチック材料で作られる。ファンネル及び包囲部分が好適にはＨＤＰＥで作られる。ファンネルの下側開口部からデバイスの外部までにおいてファンネルから離すように中でスラリーを流すことができるデバイスを通るパイプなどの任意の通路も好適には包囲部分及びファンネルと同じプラスチック材料で作られ得る。
【００３０】
有利には、スラリーを効率的に排出することが実現され得る。空気に接触するスラリーの表面積がより小さいことを理由として、スラリーがパイプ・ユニットに入るとすぐにアンモニアの蒸発が有意に低減される。したがって、１つの目的は、アンモニアの全体の蒸発を低減することを目的として可能な限り迅速にスラリーがパイプ・ユニットに入るのを可能にすることである。
【００３１】
干し草が大量に存在する場合でも、またスラリーがファンネルから迅速に排出される場合でも、ＨＤＰＥ材料の粘着特性が低いことを理由としてスラリーがファンネルの内側に付着することが防止される。
【００３２】
１つ又は複数の実施例では、一体ボディが回転成形の製造プロセスによって作られる。
【００３３】
デバイスが好適には回転成形プロセスを使用して作られ得る。このようなプロセスでは通常、プラスチック材料がモールドの中に配置され、次いで、加熱され、回転させられ、それにより、軟化したプラスチック材料がモールドの内側表面上に分散させられて広げられ、それにより所望の形状を作る。このプロセスは、この製造プロセスによりユニットが一体に溶接又は接着される接合部を有さないという意味で、継ぎ目を有さない単一ユニットであるデバイスを提供することができることを理由として有利である。さらなる利点として、回転成形プロセスを使用して作られる完成したデバイスが、一般に、一体に固定又は溶接される構造物と比較して低いレベルの残留応力を有し、それにより一体部品をより頑丈にする。さらに、このプロセスは、一般に、迅速であり、生じさせる材料浪費のレベルが非常に低く、それによりデバイスが高コスト効率となり、また環境に優しいものとなる。
【００３４】
１つ又は複数の実施例では、ファンネルが、垂直方向から３０〜６０度の範囲の、また好適には４０〜５０度の範囲の傾斜角（Ａ１）を有する内側表面を有する。
【００３５】
これらの角度範囲内の角度は、有利には、重力の影響によりスラリーをパイプ・ユニットの方に迅速に移送するのを実現するのに十分な大きさである。同時に、この角度は、ファンネル内でのスラリーの横方向の延在範囲を比較的小さく維持するのに十分な程度で小さいものでもある。特には雌豚のために動物小屋の中に大量の干し草が存在する可能性があり、傾斜角（Ａ１）が、ファンネルから出口パイプまで干し草が十分に排出されるのを可能にし、またファンネルを部分的に又は完全に遮断するのを十分に防止する。また、ファンネルの側面に付着する干し草及びスラリーが空気中の汚染物質を有意に増大させて動物小屋内の空気品質を低下させる可能性がある。上で定義した傾斜角によりスラリー及び干し草の除去効率を有意に向上させることにより、干し草及びスラリーの付着及び妨害の発生を低減する。
【００３６】
１つ又は複数の実施例では、一体ボディが少なくとも２つのファンネルを有し、ここでは、ファンネルが隣り合うように配置され、その結果、第１のファンネルの上側縁部の少なくとも一部分が第２のファンネルの上側縁部の少なくとも一部分に隣接することになる。
【００３７】
１つ又は複数の実施例では、包囲部分がファンネルの下側縁部からファンネルの上側縁部まで延在するが、一体ユニットの製造後に好適には既に接続されている隣接する上側縁部までは延在せず、それにより一体ボディの外部と通気スペースとの間の隙間が排除される。次いで、この位置で通気が必要である場合、通気孔が隣接する縁部の間に設けられ得る。
【００３８】
１つ又は複数の実施例では、包囲部分が、包囲部分の外側表面と隣接するデバイスなどの隣接する要素との間に最小の距離（Ｄ）の隙間を維持するために、その外側表面上に複数の突出部を有する。
【００３９】
有利には、突出部が一体ボディ構造のさらに強度及び安定性を向上させることができ、構造体の補強材として機能することができる。隙間が包囲部分の外側表面と任意の構造体との間に最小の距離を提供することができ、この任意の構造体は柔軟性を有さず、つまり突出部の間の隙間に入ることができないものであり、例えば、動物小屋開口部の側壁などの壁といったような、平坦構造などである。
【００４０】
１つ又は複数の実施例では、突出部が中空であり、それにより一体ボディの全体の重量及び使用材料を低減する。突出部は別法として中実であってもよく、それにより、より頑丈な包囲部分を提供する。
【００４１】
１つ又は複数の実施例では、突出部が円形状又は楕円形状などの任意の形状を有することができるが、好適には、突出部が長方形の表面形状を有することができ、突出部の先端部が平坦である。包囲部分の外側表面上の突出部の先端部から包囲部分の外側表面までの最大距離は３〜１０ｃｍの間であってよく、４〜８ｃｍの間などである。突出部が、包囲部分の幅又は厚さに沿って、１０ｃｍから２０ｃｍの間の分離距離だけ互いから分離され得る。１つ又は複数の実施例では、突出部が互いから距離Ｓだけ分離され得、ここでは、Ｓが突出部の幅の１／３倍〜２倍に実質的に等しい。
【００４２】
１つ又は複数の実施例では、２つ以上のデバイスが、各々のデバイスの上記突出部を対向する構成で配置するように、配置され得、それにより、最小距離（Ｄ）の約２倍に一致する隙間がデバイスの間に設けられ得る。この隙間がコンクリートの支持構造を作るためのモールドとして又はデバイスの間にある任意の他の材料のバリアを作るためのモールドとして利用され得る。有利には、包囲部分の外側表面上の突出部が、コンクリート又は他の付着材料に付着するための全表面積を増大させる。
【００４３】
１つ又は複数の実施例では、隣接するデバイスの外側表面に対して突出部を対向させるようにデバイスを配置することにより、デバイスが当接構成とされ得、この当接構成は、特にはデバイスの移送時の、据え付け前に、デバイスの占有するスペースを最小にするのに利用され得る。さらに、デバイスの突出部を統合することにより、有利には、デバイスの配置が安定する。
【００４４】
１つ又は複数の実施例では、包囲部分の側面が、包囲部分の側面の水平方向延在範囲又は垂直方向延在範囲或いはその両方に沿う形で平均表面高さを基準として測定する場合に異なる及び／又は交互的な表面高さを有する表面形状などの、平坦表面とは異なる表面形状を有するように製造され得、これは波形の表面形状などに類似する。この表面形状は好適には上述したように距離Ｄの隙間を提供することができる。
【００４５】
加えて又は別法として、ファンネルの下側開口部の近くの包囲部分の下側部分が、ファンネルの上側開口部の近くの包囲部分の上側部分の横方向エリアと比較して小さい横方向エリアを有してよく、その結果、本発明による第１のデバイスの包囲部分の少なくとも下側部分が本発明による第２のデバイスのファンネルの上側部分の中に嵌め込まれ得る。これにより第１及び第２のデバイスが互いの上に容易に積み重ねられ得るようになり、この構成では、第２のデバイスが第１のデバイスの下側部分を囲み、それにより、据え付け前の長手方向における第１及び第２のデバイスの占有量が最小となり、それにより保管及び移送のコストが低減される。
【００４６】
１つ又は複数の実施例では、包囲部分の上側の横方向エリアがファンネルの上側の横方向エリアに実質的に等しい。
【００４７】
１つ又は複数の実施例では、下側開口部及び上側開口部の各々が中心を有し、ここでは、下側開口部の中心が、垂直に測定して、ファンネルの中心軸から距離Ｚのところに位置し、ここでは、ファンネルの中心軸が上側開口部の延在範囲に対して垂直に且つ上側開口部の中心を通って延在する。
【００４８】
ファンネルの上側開口部の延在範囲が好適にはファンネルの中心軸に対して垂直である。ファンネルの下側開口部の延在範囲がやはり好適にはファンネルの中心軸に対して垂直であってよい。
【００４９】
１つ又は複数の実施例では、単一のファンネルを有する上記デバイスの最大幅が概して１．０〜１．８ｍの間であり、１．１〜１．７ｍの間などであるか又は概して１．２〜１．５ｍの間などである。
【００５０】
デバイスの幅がファンネルの中心軸に対して垂直な線に沿って測定される。２つのファンネルを有するデバイスの幅が約２倍であり、その結果、デバイスが概して２．０〜３．６ｍの間の幅を有し、これは概して２．２〜３．４ｍの間などであるか又は概して２．４〜３．０ｍの間などである。
【００５１】
１つ又は複数の実施例では、単一のファンネルを有する上記デバイスの最大厚さが概して１．０〜１．８ｍの間であり、１．１〜１．７ｍの間などであるか又は概して１．２〜１．５ｍの間などである。
【００５２】
延在範囲はファンネルの上側縁部のところのファンネルの最大厚さとして測定される。デバイスの厚さは、ファンネルの中心軸に対して垂直であり、且つ、幅の測定の線に対して垂直である、線に沿って測定される。１つ又は複数の実施例では、単一のファンネルを有するデバイスが、デバイスの厚さに実質的に等しい幅を有することができる。
【００５３】
ファンネルの相対的に小さい横方向の延在範囲というのは、複数のファンネルが隣り合うように配置され得、各々が同じ出口パイプ内の個別の出口開口部に接続され得る、ということを意味する。多数の出口開口部を介してスリラーを出口パイプに到達させるのを可能にするような、動物小屋内のこの多数の排出経路により、より効率的な排出システムが提供され得、ここでは、スラリーがより迅速に出口パイプに排出され得る。
【００５４】
１つ又は複数の実施例では、デバイスの最大高さが概して０．７〜１．８ｍの間であり、概して０．９〜１．６ｍの間などであるか又は概して１．１〜１．５ｍの間などである。
【００５５】
この高さは、垂直平面においてファンネルの下側エリアからファンネルの上側エリアまでで測定される垂直方向の延在範囲として測定される。スラリーが好適にはファンネルの下側開口部まで及びひいては出口パイプまで１メートル未満で移送され、その結果、蒸発が動物小屋のフロア・レベルの下方の最初の１メートルのところでのみ発生し得るようになる。
【００５６】
１つ又は複数の実施例では、ファンネルの高さが下側開口部３ｂ及び上側開口部３ａの水平方向の延在範囲（Ｂ１、Ｂ２）によって決定される。というのは、水平方向からのファンネル側面の傾斜が好適には３５〜５５度の間であるからであり、これは４０〜５０度などであるか又は４５度などである。
【００５７】
１つ又は複数の実施例では、デバイスが一方の端部のところでファンネルの内側表面の第１の部分に取り付けられてもう一方の端部のところでファンネルの内部の第２の部分に取り付けられるプレート構造を有し、それにより上記プレート構造とファンネルの内部の上記囲まれる部分との間の空洞を囲み、ここでは、空洞が、空洞を通してファンネルの上側開口部に向かわせる形で、ファンネルの外部からファンネルの内部まで供給される新鮮な空気を誘導するための空気チャンネルとして使用されるように構成される。
【００５８】
空気供給孔が好適にはファンネルの内部の囲まれる部分に設けられ得、その結果、空気が、パイプを通って空気供給孔に達してさらには上側開口ファンネルに向かう形などで、通気スペースを通して外部から提供され得る。プレート構造が、ＨＤＰＥで作られる平坦要素などの、１つ又は複数の平坦要素を有することができる。好適には、プレート構造が、ファンネルの上側開口部の小さいエリアの方に空気を十分に誘導するように成形され、ここでは好適には、動物が休息をとる傾向のある場所であるか又は少なくとも休息時に動物が頭部を配置する傾向のある場所である動物小屋のエリアに隣接するエリアまで誘導する。プレート構造が例えばファンネルとして成形され得、これは円錐形状のファンネルなどであるか又はファンネルの長手方向長さに沿って切断されるファンネルなどであり、ファンネルの内側表面に取り付けられ得る。
【００５９】
好適には、動物小屋の開口部の中にデバイスを据え付ける前に、通気孔及び／又は通気開口部が通気スペースに設けられ得、その結果、適切な通気手段が上記通気スペースに流体連通されるように構成され得る。デバイスが好適には動物の居住区域の下方において動物小屋に据え付けられ、その結果、スラリーがデバイスの中に落下してファンネルによって収集され得、その後、デバイスの底部にあるファンネルの下側開口部に接続される出口パイプによって収集され得るようになり、このパイプを通してスラリーが動物小屋から離れるようにさらに移送され得る。
【００６０】
１つ又は複数の実施例では、デバイスの製作の後に且つ据え付けの前に、包囲部分がファンネルの上側縁部の実質的に全体をファンネルの下側縁部の実質的に全体に接続し、それにより、デバイスの通気スペースに入るか又はそこから出るいかなる入口ポイントを排除する。それにより、通気スペースがきれいな状態で維持され、通気孔が、デバイスを据え付けることになる個別の動物小屋のために適するエリアに提供され得るようになる。
【００６１】
本発明の第２の態様が、本発明の第１の態様に関連して説明される実施例によるデバイスを据え付けるための方法に関連する。
【００６２】
本発明の第２の態様の第１の実施例が、豚小屋などの動物小屋における動物小屋開口部に複数のデバイスを据え付ける方法に関連し、ここでは、各デバイスが一体ボディを有し、この一体ボディが、
１つ又は複数のファンネルであって、各ファンネルが、上側縁部によって囲まれる上側水平方向エリアを有する少なくとも１つの上側開口部、下側縁部によって囲まれる下側水平方向エリアを有する下側開口部を有し、上側水平方向エリアが下側水平方向エリアより大きく、したがってファンネルの内部がファンネルの上側開口部から下側開口部まで延在する、１つ又は複数のファンネルと、
ファンネルの下側縁部からファンネルの上側縁部までファンネルを囲む包囲部分であって、その結果、包囲部分とファンネルとの間において通気スペースが一体ボディの中に画定される、包囲部分と
を有し、
この方法が、
・動物小屋開口部に出口パイプを据え付けるステップと、
・各ファンネルの上記下側開口部を出口パイプに接続するステップであって、その結果、密閉経路がファンネルと出口パイプとの間に作られる、ステップと、
・各デバイスにおいて包囲部分の１つのセクションを包囲部分の残りの部分から分離するステップであって、それにより通気開口部を提供する、ステップと、
・上記デバイスの少なくとも一部のデバイスのファンネルの上側縁部の近くに１つ又は複数の通気孔を提供するステップであって、その結果、空気が動物小屋と通気スペースとの間で移送され得る、ステップと、
・動物小屋開口部の底部の近くに上記複数のデバイスを隣り合うように配置するステップであって、その結果、上記デバイスの通気スペースを有する通気チャンネルが提供される、ステップと
を有する。
【００６３】
本発明の第２の態様の第２の実施例が、本発明の第１の態様によるデバイスの実施例を据え付ける方法に関連し、ここでは、例えば製造施設において、デバイスの据え付け前に通気孔及び通気開口部がデバイスに提供される。したがって、本発明の第１の態様の実施例による複数のデバイスを豚小屋などの動物小屋の動物小屋開口部に据え付ける方法が
・動物小屋開口部に出口パイプを据え付けるステップと、
・各ファンネルの上記下側開口部を出口パイプに接続するステップであって、その結果、密閉経路がファンネルと出口パイプとの間に作られる、ステップと、
・動物小屋開口部の底部の近くに上記複数のデバイスを隣り合うように配置するステップと
を有することができる。
【００６４】
有利には、本実施例によると、デバイスが製作されて既製のデバイスとして動物小屋のところに搬送され、動物小屋開口部内の出口開口部に単純に接続され得る。加えて、中実のフロア又は横木のフロア（ｓｌａｔｔｅｄ  ｆｌｏｏｒ）が、好適には両方の組み合わせで、動物小屋に据え付けられ、デバイスを覆う。
【００６５】
本実施例は以下のステップのうちの１つ又は複数のステップ或いはすべてのステップをさらに有することができる：
・各デバイスにおいて包囲部分の１つのセクションを包囲部分の残りの部分から分離するステップであって、それにより通気開口部を提供する、ステップと、
・上記デバイスの少なくとも一部のデバイスのファンネルの上側縁部の近くに１つ又は複数の通気孔を提供するステップであって、その結果、空気が動物小屋と通気スペースとの間で移送され得る、ステップと、
・動物小屋開口部の底部の近くに上記複数のデバイスを隣り合うように配置するステップであって、その結果、上記デバイスの通気スペースを有する通気チャンネルが提供される、ステップ。
【００６６】
本発明の第２の態様による１つ又は複数の実施例では、デバイスが好適には動物小屋のフロア・レベルの下に据え付けられ得る。出口パイプがその表面の中に複数の出口開口部を有することができ、デバイスの下側開口部がこれらの複数の出口開口部に接続され得る。加えて、パイプ・セクションがデバイスの下側開口部と出口パイプの表面内の出口開口部との間に据え付けられて接続され得る。
【００６７】
出口パイプが動物小屋開口部のフロア・レベルの下に据え付けられ得る。動物小屋開口部は従来のスラリー・ピットなどの予め存在する動物小屋開口部であってよい。出口パイプがスラリー・ピットのフロア・レベルの下に据え付けられ得るか、或いは出口パイプがスラリー・ピットのフロア・レベルに配置されるように据え付けられて、支持フレームを使用することなど又は砂利若しくは砂によりスラリーを十分に覆うことなどの適切な手段によりこの位置で維持され得、ここでは、出口パイプ開口部が露出された状態であり、その結果、出口パイプがデバイスに接続され得る。出口パイプ開口部がパイプ・セクションに接続された状態であってよく、それによりパイプ・セクションと出口パイプとの間に密閉経路を作る。ファンネルの下側開口部が、パイプ・セクションに接続されるように又は例えば中間パイプ・セクションの非存在時には出口パイプの出口開口部に直接に接続されるように構成され得る。
【００６８】
１つ又は複数の実施例では、出口パイプが、ファンネルの下側開口部から離れる流れを促進するように構成される長手方向において、少なくとも０．１％また好適には０．１〜０．５％の間の水平方向からの傾斜（Ａ２）を有するように配置される。デバイスが、好適には、デバイスの通気開口部を対向構成とするような構成で配置され、その結果、例えば、通気開口部が当接され、包囲部分の当接部分などの当接部分を一体に溶接又は接着するなどの適切な固着手段を介して、互いに十分に取り付けられ得る。デバイスが、好適には、デバイスの個別の通気スペースにより共通の通気チャンネルを提供することになるように、構成される。
【００６９】
１つ又は複数の実施例では、この方法が、
包囲部分の上記セクションの一部分をファンネルの上記上側縁部の近くに取り付けるステップであって、その結果、包囲部分の上記セクションがデバイスの上記通気孔のうちの少なくとも一部の通気孔を覆う、ステップ
をさらに有することができる。
【００７０】
有利には、デバイス内に貫通するチャンネルを提供するために除去される包囲部分の材料が通気孔のためのカバーを提供するために再使用され得、その結果、スラリーが通気孔に入ることが防止され、さらにその後で例えば動物小屋フロア・エリアからなどといったように、上方から通気スペースに入ることが防止される。排出される必要のある材料が低減され、デバイス全体が材料浪費及びひいては製造コストを低減する。
【００７１】
１つ又は複数の実施例では、この方法が、
実質的に密閉される通気チャンネルを提供することなどを目的として、デバイスを一体に接着又は溶接することなどの適切な固定方法により上記デバイスを接続するステップ
をさらに有することができる。
【００７２】
好適には当接構成で、互いに隣接するように通気スペースを単純に配置することに加えて、包囲部分の当接部分が一体に固着されてデバイスの相対位置を固定し、さらには通気チャンネル内での汚染物質の発生を低減する。
【００７３】
１つ又は複数の実施例では、包囲部分がその外側表面上に複数の突出部を有することができ、それにより、包囲部分の外側表面と、隣接するデバイス又は動物小屋開口部の側壁などの動物小屋における据え付け時に隣接する要素と、の間に最小距離Ｄの隙間を提供し、
ここでは、この方法がコンクリートなどの材料で隙間を充填するステップを有し、それにより剛体構造を提供し、デバイスを据え付け位置で固定する。
【００７４】
この隙間は動物小屋開口部の側壁と包囲部分の外側表面との間に提供され得、２つのパーツを一体に付着させる材料で隙間を充填することによりデバイスが所望の位置で固定され得るようになる。この隙間は隣り合うデバイスの間に提供されてもよく、隣り合うデバイスの間においてコンクリートなどの付着材料を提供する形態で利用され得る。この材料は、好適には、デバイスの間で支持構造として使用され得る剛体構造を提供することができる。
【００７５】
１つ又は複数の実施例では、この方法が、複数の貫通孔を有し且つ上記デバイスのファンネルの上側開口部の上に配置される少なくとも１つのフロアを配置するステップを有することができる。フロアは複数のスリットを有する横木のフロアであってよく、それにより動物小屋の中の動物の居住区域からの及びデバイスからの開口部を提供する。スリットは交互のサイズを有することができ、一部のスリットが他のスリットより幅広であってよい。最も幅広のスリットが、好適には、肥料を最大限に堆積させる可能性のある動物小屋の場所の近くに配置され得る。
【００７６】
本発明の第２の態様の１つ又は複数の実施例では、この方法が、
上記デバイスのファンネルの上側開口部の上に、複数の貫通孔を有する少なくとも１つのフロアを配置するステップであって、その結果、少なくとも１つのフロアが剛体構造のうちの少なくとも一部の剛体構造によって支持され、その結果、フロアの重量及びフロアに対しての荷重が剛体構造に移される、ステップ
を有する。
【００７７】
本発明の第３の態様が豚などの動物のための動物小屋に関連し、ここでは、動物小屋が、本発明の第２の態様による実施例のうちの任意の実施例による据え付け方法を使用して、動物小屋の動物小屋開口部に据え付けられる本発明の第１の態様による実施例のうちの任意の実施例によるデバイスを有する。
【００７８】
動物小屋が動物小屋の地面レベルにところに動物小屋フロアを有することができ、この動物小屋フロアの下方においてデバイスが動物小屋フロア内の開口部のところに据え付けられ、その結果、動物小屋の地面レベルのところにいる動物がスラリー又は肥料を堆積させるときにスラリー又は肥料が下方に配置されるファンネルの内部まで移送されることになる。
【００７９】
１つ又は複数の実施例では、動物小屋のエンクロージャのサイズ及び形状が、動物小屋のフロア・レベルの下に据え付けられるデバイスのサイズ及び形状に対応する必要がない。
【００８０】
すなわち、１つのエンクロージャを別のエンクロージャから分離する動物小屋の壁がデバイス内でファンネルの上側開口部を跨るような形で配置され得、それにより隣り合うエンクロージャの両方からスラリーを収集するのを可能にする。加えて又は別法として、デバイスの少なくとも一部分が中実のフロアによって覆われてよく、貫通孔を有さない。
【００８１】
１つ又は複数の実施例では、動物小屋の中に据え付けられるデバイスのうちの１つ又は複数のデバイスがファンネルの中心軸に沿って湾曲する長手方向形状を有することができる。これは以下のような意味におけるものである：ファンネルの下側開口部が、上側開口部の中心を通る上側開口部の延在範囲にわたって垂直方向に延在する上側開口部の中心軸から距離Ｚだけ横方向にオフセットされ（水平面内の任意の方向であってよい）、その結果、ファンネルの内部がファンネルの中心軸を中心として変化する傾斜角を有する。ファンネルの内部の急勾配セクションがスラリーの多く発生するエリアの下方に配置され得、その結果、スラリーが出口パイプの方に迅速に誘導され、この間、ファンネルの内側表面の最も平らであるようなエリアが、動物が頭部を配置する傾向のあるエリアなどのスラリーのあまり発生しないエリアの近くに配置され得る。
【００８２】
加えて又は別法として、デバイスが一方の端部のところでファンネルの内側表面の第１の部分に取り付けられてもう一方の端部のところでファンネルの内部の第２の部分に取り付けられるプレート構造を有することができ、それにより上記プレート構造とファンネルの内部の上記囲まれる部分との間の空洞を囲み、空洞が、空洞を通してファンネルの上側開口部に向かわせる形で、ファンネルの外部からファンネルの内部まで供給される新鮮な空気を誘導するための空気チャンネルとして使用されるように構成される。
【００８３】
空気供給孔が好適にはファンネルの内部の囲まれる部分に設けられ得、その結果、空気が、パイプを通って空気供給孔に達してさらには上側開口ファンネルに向かう形などで、通気スペースを介して外部から提供され得る。好適には、プレート構造が、ファンネルの上側開口部の小さいエリアの方に空気を十分に誘導するように成形され、ここでは好適には、動物が休息をとる傾向のある場所であるか又は少なくとも休息時に動物が頭部を配置する傾向のある場所である動物小屋のエリアに隣接するエリアまで誘導する。
【００８４】
１つ又は複数の実施例では、出口パイプがファンネルの下側開口部に接続され、ここでは、ファンネルの下側開口部から離れる流れを促進するように構成される長手方向において、少なくとも０．１％また好適には０．１〜０．５％の間の水平方向からの傾斜（Ａ２）を有する。
【００８５】
出口が、好適には、出口パイプに接続されるファンネルの複数の下側開口部から離すようにスラリーを移送することを実現することができ、それによりスラリーを動物小屋エリアから離すように導くことができる。スラリーの移送を促進することを目的として、出口パイプが水平方向から傾斜する形で動物小屋開口部の中に据え付けられ得、その結果、スラリーが、スリラーに作用する重力により、所定の方向に自然に流れるようになる。スラリーが、物質が保管又は処理され得るところのコンテナまで導かれ得る。
【００８６】
１つ又は複数の実施例では、上記デバイスのうちの少なくとも一部のデバイスが、複数の貫通孔を有し且つ上記デバイスのファンネルの上側開口部の上に配置される少なくとも１つのフロアによって覆われる。
【００８７】
１つ又は複数の実施例では、フロアの貫通孔が異なる幅を有し、それにより孔を通してより多くの又はより少ない物質を下方へ通過させるのを可能にする。１つ又は複数の実施例では、フロアが、フロアの一方の端部から反対側の端部まで増大する幅を有する孔を有することができる。加えて又は別法として、フロアが、フロアの端部分の近くなどにおいてフロアの１／３などといったように一部分においていくつかの狭い孔を有する孔を有することができ、その結果、これらの孔によりフロアの上記部分の約５〜３０％が占有されることになる。フロアの残りの２／３がより大きい孔及び／又はより多数の孔を有することができ、その結果、これらの孔がフロアの２５〜６０％を占有することになる。
【００８８】
横木のフロアが、鋳鉄で、又は強化プラスチックなどのプラスチックで作られ得る。
【００８９】
別法として、デバイスが従来のコンクリート・フロアで部分的に覆われてもよく、それにより、動物小屋が、複数の貫通する孔を有する横木のフロアに対しての最適な面積の中実コンクリート・フロアを有することが可能となる。
【００９０】
１つ又は複数の実施例では、動物小屋が各デバイスの２つの対向する側に配置される複数の剛体構造を有する。１つ又は複数の実施例では、少なくとも１つのフロアが剛体構造のうち少なくとも一部の剛体構造によって支持され、その結果、フロアの重量及びフロアに対しての荷重が剛体構造に移される。
【００９１】
１つ又は複数の実施例では、２つのデバイスが互いに隣に据え付けられ得、ここでは側面が互いに対向する上記突出部を有し、コンクリートがデバイスの間のスペースの中に充填され得、それにより剛体構造が作られる。この剛体構造が、有利には、デバイスの上に配置されるフロアのための支持構造として利用され得る。剛体構造がコンクリートで作られ得る。
【００９２】
１つ又は複数の実施例では、剛体構造が、好適には高密度ポリエチレン（ＨＤＰＥ）のプラスチックの、シート材料で作られ、それにより剛体構造が軽量となり、同時にフロア及び／又はデバイスを十分に支持するような剛性も有する。加えて、支持構造が中空内部を有することができ、据え付け時に砂で充填され得る。
【００９３】
本発明は、動物のための及び動物小屋から収集及び除去スラリーのための居住区域としての本発明の第３の態様による複数の動物小屋を有する建物にさらに関連する。
【００９４】
本発明の第３の態様が、動物小屋における、上記動物小屋からスラリーを収集及び除去するための本発明の第１の態様によるデバイスの使用に関連する。
【００９５】
本発明の第４の態様が、豚小屋などの動物小屋からスラリー又は類似物を収集及び除去するのに使用されるためのデバイスに関連し、ここでは、デバイスが一体ボディを有し、この一体ボディが、
１つ又は複数のファンネルであって、各ファンネルが、上側縁部によって囲まれる上側水平方向エリア、下側縁部によって囲まれる下側水平方向エリアを有する上側開口部を有し、上側エリアが下側エリアより大きく、したがってファンネルの内部がファンネルの上側縁部から下側縁部まで延在する、１つ又は複数のファンネルと、
上側開口部を露出するのを可能にするようにファンネルの上側縁部からファンネルの上側縁部の対向部分まで延在する包囲部分であって、この包囲部分がファンネルを囲み、その結果、包囲部分とファンネルとの間において通気スペースが一体ボディの中に画定される、包囲部分と
を有する。
【００９６】
有利には、一体ボディが連続する構造を有する継ぎ目を有さない予め製作される一体デバイスを提供し、それにより、デバイスのための作り付けの通気スペースを有利に提供するような中空内部が得られる。デバイスの大部分が、有利には、通気スペースとして利用され得、さらには、通気スペースが、包囲部分の存在により、有利には、ファンネルの外側表面の全体の周りに画定され得る。
【００９７】
包囲部分が好適にはファンネルを囲み得、その結果、ファンネルの上側開口部のみがデバイスの外部に対して露出される。１つ又は複数の実施例では、ファンネルの実質的に全体の上側縁部において、包囲部分が、ファンネルの下方で、ファンネルの上側縁部からファンネルの上記上側縁部の対向する部分まで、延在する。
【００９８】
デバイスが、製作の後で且つスラリー内でのデバイスの使用の前で、初期状態において、包囲部分によって完全に囲まれる中空内部の中に通気スペースを有する中空構造であってよい。このバージョンのデバイスでは、ファンネルが下側開口部を有さずに上側開口部を有し、したがってファンネルが初期状態においてボウルとして見なされ得る。この初期状態の構造はデバイスの選択される製作方法によって得られるものであってよい。１つ又は複数の実施例では、デバイスが回転成形プロセスによって作られ得、ここでは、囲まれるモールドの中で材料が分散することで、中空構造が作られる。一体ボディが好適にはＨＤＰＥなどのプラスチックで作られ得る。
【００９９】
１つ又は複数の実施例では、下側エリアが下側開口部を有し、その結果、スラリーなどが上側開口部を通って流れることができ、ファンネルの中に入ってファンネルの下側開口部を通る。加えて、ファンネルの下側開口部が出口パイプに接続されるように構成され得る。
【０１００】
下側開口部がファンネルと通気スペースとの間に設けられ得、好適には、ファンネルの下側縁部がファンネルの下側開口部の周縁部を画定する。通気スペースの中に配置される出口パイプを使用して、スラリーが通気スペースの中に収集され得る。それにより、通気スペースが、包囲部分と、ファンネルと、出口パイプと、の間に画定される。
【０１０１】
１つ又は複数の実施例では、出口パイプが、ファンネルの下側開口部から離れる流れを促進するように構成される長手方向において、少なくとも０．１％また好適には０．１〜０．５％の間の水平方向からの傾斜（Ａ２）を有する。それにより、傾斜構成の出口パイプが提供されることにより、スラリーの移送が予め定められて制御され得るようになる。出口が、好適には、その表面に、ファンネルの下側開口部に接続される出口開口部を有することができ、それによりファンネルと出口パイプとの間に密閉経路を提供する。
【０１０２】
１つ又は複数の実施例では、デバイスが一方の端部のところでファンネルの内側表面の第１の部分に取り付けられてもう一方の端部のところでファンネルの内部の第２の部分に取り付けられるプレート構造を有し、それにより上記プレート構造とファンネルの内部の上記囲まれる部分との間の空洞を囲み、ここでは、空洞が、空洞を通してファンネルの上側開口部に向かわせる形で、ファンネルの外部からファンネル（３）の内部まで供給される新鮮な空気を誘導するための空気チャンネルとして使用されるように構成される。この場合、新鮮な空気が動物の頭部の方に誘導され得、動物のための空気品質を向上させる。
【０１０３】
このデバイスが請求項３から１４までによる特徴及び利点のうちの任意の特徴及び利点を有することができる。包囲部分がその側面に突出部を有することができ、包囲部分が１つ又は通気開口部を有することができる。概して、包囲部分が、本発明の第１の態様に関連して説明される包囲部分による特徴及び対応する利点のうちの任意の特徴及び対応する利点を有することができる。ファンネルが、本発明の第１の態様によるファンネルの実施例で説明される任意の特徴及び利点に従うものであってよい。有利には、ファンネルの形状が、スラリーを迅速且つ効率的に排出することを可能にし、さらにはスラリーの表面積を最小にし、それによりスラリーからのアンモニアの蒸発を最小にする。
【０１０４】
１つ又は複数の実施例では、デバイスの最大高さが概して０．７〜２．０ｍｍの間であってよく、概して１．０〜１．８ｍの間などであるか又は概して１．２〜１．６の間などである。
【０１０５】
本発明は、動物小屋における、上記動物小屋からスラリーを収集及び除去するための本発明の第４の態様によるデバイスの使用にさらに関連する。
【０１０６】
本発明の第５の態様が、豚小屋などの動物小屋における動物小屋開口部に本発明の第４の態様による複数のデバイスを据え付ける方法に関連し、ここでは、この方法が、
・包囲部分の２つのセクションを包囲部分の残りの部分から分離するステップであって、それにより貫通するチャンネルを提供する、ステップと、
・デバイスを動物小屋開口部の中に配置するステップと、
・出口パイプを貫通するチャンネルの中に配置するステップであって、出口パイプがその表面の中に出口開口部を有する、ステップと、
・デバイスの上記下側開口部を出口パイプの出口開口部に接続するステップであって、その結果、密閉経路がファンネルと出口パイプとの間に作られる、ステップと
を有し、
ここでは、上記デバイスが動物小屋開口部の底部の近くで隣り合うように配置され、
ここでは、この方法が、
・共通の通気チャンネルを提供するように隣接する貫通するチャンネルを接続するステップと、
・共通の出口パイプを提供するように隣接する出口パイプを接続するステップと
をさらに有する。
【０１０７】
デバイスが、デバイスの間に分離距離を有する形で平行に配置されるなどの形で、一列に、又は互いに隣接するように２列に据え付けられ得る。この分離距離が２列の動物小屋エリアの間に中実のフロアを配置することにより利用され得る。デバイスが、動物小屋のフロア・レベルの下などで、動物小屋エリアのところに据え付けられ得る。デバイスが動物小屋開口部の壁により部分的に又は完全に囲まれ得る。
【０１０８】
動物小屋内のデバイスの大部分が包囲部分の対向する部分の中に配置される２つの通気開口部を有することができ、それにより、貫通するチャンネルを提供し、この貫通するチャンネルが、共通の通気チャンネルを作るように、隣接する貫通するチャンネルと共に組み立てられ得る。包囲部分のこれらのセクションがデバイスの上側部分のところに構成されて固定され、その結果、包囲部分のこれらのセクションが通気孔のためのカバーを提供し、それにより上記通気孔にスラリーが入るのを防止し、また潜在的にこれを阻止する。
【０１０９】
列の端部のところに配置されるデバイスの場合、包囲部分の１つのセクションのみが取り除かれてよく、その結果、通気チャンネルのための端部が提供される。加えて又は別法として、通気チャンネルの遠位端が、通気チャンネルの中に空気の流れを提供するための適切な通気手段に接続され得る。加えて、通気手段が、通気孔を通して動物小屋エリアから空気を引き出すように、さらには、通気チャンネルを通して、空気を処理することができる処理施設に到達させるように、構成され得る。
【０１１０】
出口パイプが、動物小屋開口部の中にデバイスが配置される前に又はその後で、ファンネルの下側開口部に接続されるように配置され得る。１つ又は複数の実施例では、出口パイプが各ファンネルのために提供され得、出口パイプが据え付け前に選択されるファンネルに接続され得、その結果、出口パイプが動物小屋開口部の中で隣接する出口パイプに接続されることのみを必要とすることができる。これにより、デバイスを容易に且つ迅速に据え付けることが実現され、さらには、ファンネルと、開口部の中にデバイスを降下させる前に点検される出口パイプと、の間を接続することが可能となる。
【０１１１】
１つ又は複数の実施例では、出口パイプが、ファンネルの下側開口部から離れる流れを促進するように構成される長手方向において、少なくとも０．１％また好適には０．１〜０．５％の間の水平方向からの傾斜（Ａ２）を有するように配置される。
【０１１２】
通気孔が、好適にはファンネルの上側縁部のところで、ファンネルの中に設けられ得、その結果、空気が、ファンネルの上側開口部の近くの動物小屋エリアから、包囲部分と、出口パイプと、ファンネルと、の間の通気スペースまで、流れることができるようになり、さらには、通気チャンネルを通って、動物小屋の外部に又は空気処理施設に到達することができるようになる。通気孔がデバイスの製造施設において提供され得るか、デバイスの据え付け前にデバイスを据え付けるような場合には農場において提供され得るか、又はデバイスの据え付け後に提供され得る。
【０１１３】
第６の態様が、本発明の第５の態様による据え付け方法を使用して、動物小屋の動物小屋開口部に据え付けられる本発明による第４の態様による複数のデバイスを有する動物小屋に関連する。
【０１１４】
１つ又は複数の実施例では、動物小屋が、本発明の第４の態様による上記デバイスと併せて、本発明による第３の態様による動物小屋の特徴のうちの任意の特徴を有することができる。
【０１１５】
本発明は、豚などの動物のための本発明の第６の態様による動物小屋を有する建物にさらに関連する。動物小屋が、動物のための並びに動物小屋から収集及び除去スラリーのための居住区域として使用され得る。
【０１１６】
図面を参照して以下で本開示の態様を説明する。
【図面の簡単な説明】
【０１１７】
【図１ａ】スラリーを収集及び除去するための、本発明の第１の態様によるデバイスを示す側面図である。
【図１ｂ】スラリーを収集及び除去するための、本発明の第４の態様によるデバイスを示す断面図である。
【図１ｃ】出口パイプを有する、本発明の第４の態様によるデバイスを示す断面図である。図１ｄは、出口パイプ及び２つのファンネルを有する、本発明の第４の態様によるデバイスを示す斜視図である。
【図２】包囲部分の側面上にある突出部を拡大している、概して上方から図１のデバイスを示す斜視図である。
【図３】図１〜２に示されるデバイスを概して側方から示す斜視図である。
【図４】一列に配置されて共通の通気チャンネルを提供する、本発明による複数のデバイスを示す斜視図である。
【図５】一方のデバイスがプレート構造を有して空洞を作っている、隣り合うように配置される本発明による２つのデバイスを示す斜視図である。
【図６】本発明による１列のデバイスを示す斜視図である。
【図７】本発明による複数のデバイスのための保管構成を示す斜視図である。
【図８】剛体構造を有するように構成される、本発明の第１の態様による２列のデバイスを示す断面図である。
【図９】動物小屋開口部の中に据え付けられる本発明の第１の態様によるデバイスを示す図である。
【図１０】動物小屋開口部の中に据え付けられる本発明の第４の態様によるデバイスを示す図である。
【発明を実施するための形態】
【０１１８】
以下の詳細な説明が、限定しないが例として、デバイス１と、１つ又は複数のデバイスを有する動物小屋と、デバイス１を据え付けるための方法とを説明する。
【０１１９】
本発明の第１の態様によるデバイス１の例示の実施例が図１ａの側面図に示されている。本発明の第４の態様によるデバイス１の例示の実施例が図１ｂの側面図に示されている。本実例によるこれらの２つのデバイス１、２００の間の主要な違いは、第１の態様による一体ボディ２では、包囲部分４がファンネル３の下側縁部３ｂ’のところに取り付けられ、対して第４の態様によるデバイス２００の一体ボディ２では、包囲部分４がファンネル３の下側縁部３ｂ’のところに取り付けられず、代わりにファンネル３の下方において及びその周りにおいてファンネル３の上側縁部３ａ’から延在してファンネル３の上側縁部３ａ’のところの端部で終端する。
【０１２０】
本実例では、デバイス１、２００の一体ボディ２が回転成形プロセスによって作られ、両方のボディ２が完全な中空ボディであり、モールドから出された後に完全に囲まれる内部スペースを有する。一体ボディ２が、例えば、高密度ポリエチレン（ＨＤＰＥ）材料で作られ得る。図１ａに示される本発明の第１の態様によるデバイス１のファンネル３が、回転成形プロセス後、上側開口部３ａ及び下側開口部３ｂを装備する。モールドはドーナツと同様の形でスペースを完全に囲むものとして見なされてよく、中央貫通部分を有し、それにより貫通するチャンネルが得られ、第１の態様では、ファンネル３を提供する貫通するチャンネルが得られる。図１ａでは、デバイス１の内部スペースがもはや完全には囲まれない。その理由は、包囲部分４のセクション７が取り除かれているからである。このように取り除く理由を後で説明する。（本発明の第１の態様による完全に囲まれる一体ボディ２を図５及び７で見ることができる。）
【０１２１】
初期状態において、回転成形によって一体ボディ２を製作した直後では、図１ｂの断面図に示されるような本発明の第４の態様による一体ボディ２が完全に囲まれる内部スペースを有し、ファンネル３が下側開口部３ｂを有さず、したがってデバイス２００を出口パイプ８に接続する前にファンネル３の底部のところに下側開口部３ｂを設ける必要がある。
【０１２２】
図１ｃが、本発明の第４の態様によるデバイス２００の側断面図を示しており、デバイス２００が出口パイプ８をさらに有する。出口パイプ８が他の出口パイプ８に接続されるのに又はハウジングの外部への出口に接続されるのに適する。示される包囲部分４が通気開口部７を有し、それにより出口パイプを別の出口パイプ８に又はスラリーのための出口に接続するのを可能にし、その結果、スラリー及び換気空気がデバイス１から離れるように導かれ得る。通気開口部７がさらに、包囲部分４を別の包囲部分４に接続するのを可能にし、それにより、接合される通気スペース５によって形成される通気チャンネル５’が作られる。
【０１２３】
図１ｄが本発明の第４の態様によるデバイス２００の実例を示しており、デバイス２００が、ファンネル３の下側縁部３ｂ’のところにおいて出口パイプ８とファンネル３との中にある開口部９に対して取り付けられる２つのファンネル３を有し、出口パイプ８が包囲部分４によって囲まれる。通気開口部７は通気スペース５を通気手段又は他の通気スペース５に接続するように設けられている。ファンネル３は、ファンネル３の上側縁部３ａ’の近くに位置する複数の通気孔６を有するものとしてさらに示されている。本実例に従って当接されて配置される２つのファンネル３は２．４ｍから３．２ｍの間の合計の長手方向延在範囲Ｂ３を有する。
【０１２４】
例えば図１ａ〜ｄに示されるような、本発明の態様によるデバイスのファンネル３が、ファンネル３によって囲まれるスペースを画定する内部３’と、ファンネル３によって囲まれないスペースを画定する外部３’’とを有する。ファンネル３の内部３’と外部３’’との間の距離が平均約１０ｍｍであってよい。包囲部分の側面４ａが一般に少なくともファンネル３と同じ厚さを有してよい。１つ又は複数の実例では、ファンネル３が、下側水平方向延在範囲Ｂ２より大きい上側水平方向延在範囲Ｂ１を有する。デバイス１、２００が開口部２０の中に据え付けられている状態では、上側水平方向延在範囲Ｂ１の幅及び深さの両方が１．１〜１．６ｍの間であってよく、下側水平方向延在範囲Ｂ２が水平面で測定して０．２〜０．３ｍの間であってよい。本発明の任意の態様によるファンネル３が、約４０〜５０度の、垂直面からの内角の傾斜角Ａ１を有することができる。ファンネル３が多数の平坦表面で作られ得、これらの多数の平坦表面は、好適には、平坦表面の長手方向軸に沿って測定して約１ｍの長さを有してよい。
【０１２５】
図１ｂ、１ｃ、及び１ｄに示されるようなデバイス２００の実例では、ファンネル３がわずか約１．０〜１．２ｍの垂直方向延在範囲（Ｈ１）を有し、ファンネル及びファンネルに接続される出口パイプ８の垂直方向延在範囲（Ｈ２）が図１ｃに示されるように概して１．２〜１．６ｍの間であってよい。
【０１２６】
図１ａに示されるようなデバイス１の実例では、ファンネル３がわずか約０．８〜１．３ｍの垂直方向延在範囲（Ｈ１）を有し、ファンネル及びファンネルに接続される出口パイプ８の垂直方向延在範囲（Ｈ２）が概して少なくとも１ｍであってよく、１．０ｍから１．７ｍの間などであってよい。デバイス１に接続されることになる出口パイプが、部分的に、動物小屋開口部２０の底部の地面レベルの下に据え付けられ得ることを理由として、全体の垂直方向延在範囲（Ｈ２）が非常に大きいものとなることができる。
【０１２７】
１つ又は複数の実例では、包囲部分４が一定範囲の多様な形状を有することができ、それにより一定範囲の多様な形状の通気スペース５を提供することができる。１つ又は複数の実例では、包囲部分４が、初期状態において、少なくとも、底部４ｂと、包囲部分４の底部４ｂの縁部から延在する平坦な側面などの１つ又は複数の側面４ａとを有することができ、その結果、包囲部分の底部４ｂの真上にあるスペースが例えば図１ｄに示されるように囲まれることになる。１つ又は複数の実例では、包囲部分４がファンネル３と類似の断面形状を有する。包囲部分４は、動物小屋フロア内の予め存在する開口部２０に嵌め込まれるように形成されてもよい。
【０１２８】
デバイス１、２００のファンネルが包囲部分４によって囲まれ、その結果、通気スペース５が一体ボディ２の中でファンネル３と包囲部分４との間に画定される。１つ又は複数の実例では、図１ｂ〜１ｄ並びに図２、４、及び６に示されるようなデバイス１、２００が、ファンネル３の上側縁部３ａ’の近くに配置される複数の通気孔６を有する。１つ又は複数の実例では、通気孔６が、ファンネル３の各側面１１に少なくとも１つの通気孔６を有させるように、またより好適には、ファンネル６を中間の適切な距離のところに均一に分布させるように、配置され得る。好適には、多数の通気孔６が、空気中のアンモニアの含有量が高いと見込まれるような動物小屋の領域の近くに設けられる。通気孔６がファンネル３の対向する側面に沿って配置され得る。包囲部分４がファンネル３を囲み、その結果、空気が、主として、通気孔６と、通気スペース５と、出口と、の間を流れるようになる。
【０１２９】
図２が、図１ａのデバイスを、概して上方から見る別の斜視図で示す。ファンネルが、上側開口部３ａを囲む上側縁部３ａ’と、下側開口部３ｂを囲む下側縁部３ｂ’とを有するように示されている。加えて、複数の通気孔６がファンネル３の上側縁部３ａ’の近くで上側縁部３ａ’の一部分に沿って配置される。包囲部分が通気開口部７を有することも見ることができる。本実例では、上側開口部３ａの水平方向エリアが概略方形であり、それに対応して、包囲部分が、包囲部分４の上側部分のところに概して垂直方向の４つの側面４ａを有するやはり概略方形である水平方向断面を有する。包囲部分４が包囲部分の対向する側面上にある突出部４ｐｒｏのアレイを有し、それにより、突出部４ｐｒｏの一部分を拡大して示されているように、突出部の先端から包囲部分側面４ａの表面までで測定される深さＤの隙間４ｇａｐを提供する。突出部が互いから距離Ｓで分離され、ここではＳが突出部の幅の１／３〜２倍に実質的に等しい。本実例では、突出部が約１５ｃｍの幅を有し、突出部の間の距離がやはり１５ｃｍである。深さＤが約７ｃｍである。本実例では、突出部が細長い長方形の突出部として成形されるが、突出部は突出部の先端から包囲部分側面４ａの表面までにおいて隙間４ｇａｐを提供する任意の他の形状を有してもよい。
【０１３０】
図３が図１ａのデバイスを概して下方から見る別の斜視図で示す。これらの図は包囲部分４の底部４ｂの中に配置されるファンネルの下側開口部３ｂを示すものである。包囲部分の下側部分が垂直方向からの一定の傾斜（Ａ３）のところに配置される側面４ａを有することが見ることができる（この特徴は後で詳細に説明される）。本実例では、ファンネルの下側開口部がパイプ・セクション（図示せず）によって包囲部分の底部まで延長され、パイプ・セクションに沿って概して等しい直径を有する。パイプ・セクションは、本実例では、回転成形によって製造される一体ボディの一部分である。本実例では、突出部の内部が中空であり、それにより一体ボディの全重量及び使用材料を低減する、ことが分かるであろう。突出部の内部は別法として中実であってもよく、それにより、より高い剛性を有する包囲部分を提供する。
【０１３１】
図１〜４の上面図が、下側開口部３ｂの方への傾斜をファンネル３の内側周囲の周りで実質的に等しくするように好適な形としてファンネル３の下側開口部３ｂが如何にして中央に配置されているか、を示している。ファンネル３が、ファンネルを切頭体のピラミッドとして成形することができるように構成される４つの平坦表面１１を有することができる。２つの隣接する平坦表面は等しい長手方向延在範囲及び水平方向延在範囲を有さなくてよく、その結果、水平面におけるファンネル３の断面が概略長方形となる。
【０１３２】
図５では、ファンネルの下側開口部がファンネル内で中央に配置されず、代わりに下側開口部の中心軸（ｃｂ）がファンネル３の上側開口部の中心軸（ｃａ）から離れるように横方向に距離Ｚだけずらされており、それにより垂直方向から多様な傾斜（Ａ１）を有する内側表面を有するファンネル３が提供される。急勾配部分により、スラリーを迅速に排出することが可能となり、同時に、より水平な部分が動物小屋のスラリーであまり充填されないような部分の下で使用され得るようになる。
【０１３３】
図５が、ファンネル３のより水平となるように方向づけられるより平らな側面１１ところにある、２つのファンネル３のうちの一方のファンネル３においてプレート構造によって囲まれる空洞１４をさらに示す。空気供給開口部２５（図示せず）が、ファンネル３の中の、上記構造によって囲まれるファンネル部分の中に設けられ、それにより、空気供給開口部２５を通して及びデバイス１、２００の中に設けられる空洞１４を通して、通気スペース５から動物小屋フロアのパーツまで新鮮な空気が提供されるようになる。空気供給開口部２５が、空気供給開口部２５に直接に接続される、上記新鮮な空気を収容及び移送するためのチューブにより、空気供給手段２６に接続され得る。空気供給開口部２５から、空気がさらに空洞１４により動物小屋の特定のエリアの方に誘導され得、空洞１４が本実例ではプレート構造を使用して作られる。
【０１３４】
本発明による１つ又は複数の実例では、デバイス１、２００が、１回の回転成形プロセスによって作られる複数のファンネル３を有する。このプロセスで使用されるモールドは２つのファンネル３を有するデバイス１、２００を作るように設計される。デバイス１、２００が３つ以上のファンネル３を有してもよい。包囲部分４が２つ以上のファンネル３を囲むように製作され得、その例が図１ｄに示されている。
【０１３５】
図４及び図６が本発明の実例を示しており、ここでは、本発明の第１の態様による複数のデバイス１が１列のデバイス１を作るように隣り合うように配置されている。加えて、複数の包囲部分４が隣接する包囲部分４に接続され得る。複数の包囲部分４が、包囲部分４の当接される縁部を接続することにより、接続され得、それにより閉じた通気チャンネル５を形成する。列内の最後の包囲部分４が包囲部分４の端部４ｂを囲む壁を有することができ、その結果、通気チャンネル５がさらに囲まれる。各ファンネル３の下側開口部３ｂが、同じ出口パイプ８又はパイプ・ユニット（図示せず）に接続されることにより、相互接続され得る。隣接するファンネル３が、各ファンネルの内側表面に取り付けられる概略Ｖ形のカバー要素などの、カバー要素を使用することにより、相互接続され得る。別法として又は加えて、ファンネルの隣り合う部分が一体に溶接され得る。本発明の第４の態様による複数のデバイス２００が同様の形で構成され得、ここでは、隣り合うファンネル３、隣り合う包囲部分４、及び隣り合う出口パイプ８が相互接続される。
【０１３６】
図７が、本発明の第１の態様による複数のデバイスの保管構成の実例を示す。本実例は、回転成形による製作後に、例えば製作施設のところで又は移送車両の中で複数のデバイスが如何にして保管され得るかを示すものである。デバイス１が、間にある内部スペース５を一体に完全に囲んでいるファンネル３及び包囲部分４を各々が有する一体ボディを有するように示されている。本実例では、包囲部分４ｂの底部に隣接するところから包囲部分の約１／３である包囲部分４の下側部分が、ファンネル３の内側側面１１’の垂直方向からの傾斜（Ａ１）より小さい（つまり、より急勾配である：図３を参照されたい）垂直方向からの傾斜角（Ａ３）を有する側面４ａを有し、その結果、デバイス１が互いの上に配置されるとき、包囲部分４のこの下側部分がファンネル３の上側部分の中まで延在することができ、それにより積み重ねられるデバイス１の全体の高さが低減される。１つ又は複数の実例では、包囲部分４の下側部分の水平方向延在範囲がファンネル３の上側部分の内部の水平方向延在範囲より小さくてよく、その結果、包囲部分の下側部分がファンネル３の上側部分の中に嵌め込まれる。１つ又は複数の実例では、ファンネルが多様な傾斜角（Ａ１）を有することができ、それに対応して、包囲部分がやはり多様な傾斜角を有することができるか、又はファンネル３の側面１１のすべての傾斜角（Ａ１）より小さい一様な傾斜角を有することができる。同様に、本発明の第４の態様によるデバイス２００の包囲部分４が、ファンネルの上側部分の内部に包囲部分の下側端部を配置するのを可能にするように、下側端部のところにおいて成形されていてよく、それにより、保管時及び／又は移送時に、デバイス２００を安定させるがデバイス２００の占有するスペースの総量を縮小する。
【０１３７】
図８が、隣り合うように据え付けられている図１ａに示されるような２列のデバイス１の断面を示しており、動物小屋の各列が、その列の中で通気スペース５で作られる通気チャンネル５’を有する。デバイス１が、デバイス１の間のスペーシングの方を向く包囲部分４ａの側面の突出部４ｐｒｏを有し、それにより列を分離する。デバイス１の間のスペースが本実例ではコンクリートで充填されており、それによりデバイスの間に剛体構造１６を提供する。コンクリートが、デバイス１を、互いを基準としたそれらの意図される位置で固定し、さらに好適には動物小屋の開口部２０の中でのそれらの位置において固定する。各包囲部分の対向する側面４ａがやはり突出部４ｐｒｏを有し、これらの突出部４ｐｒｏは、包囲部分側面４ａと開口部２０の側壁との間で最小距離を作るように示されている。作られる隙間４ｇａｐがやはりコンクリートで充填されていてよく、それにより剛体構造１６を作り、それにより上記開口部２０の中でデバイス１を実質的に固定する。剛体構造１６がデバイス１の上に配置されて剛体構造１６の上で静止するフロア１２を支持することができ、その結果、構造１６が重量及びフロア１２に対しての荷重を支持する。フロア１２が複数の貫通孔１２’を有し、これらの貫通孔１２’を通ってスラリーがファンネル３の中まで通過することができる。フロアが、好適には、少なくとも１つのファンネル３の上側開口部の上方に、及び少なくとも２つの剛体構造１６の上に、配置される。剛体構造１６の上側表面が、２つ以上のフロア１２を同時に支持するのに対応するのに十分な程度で幅広である。
【０１３８】
ファンネル３の下側開口部３ｂがデバイス１の下方の出口パイプ８に適切に接続され、本実例ではこの接続が、下側開口部３ｂから出口パイプまで延在するパイプ・セクションを介して形成される。ファンネル３から出口パイプ８までの密閉経路が、出口パイプ８と、パイプ・セクションと、ファンネルの下側縁部３ｂとを一体に溶接することにより作られ得る。
【０１３９】
４０〜５０度の間である、ファンネル３の内側側面１１’の垂直方向からの傾斜角（Ａ１）が、入ってくるスラリーが効率的な形で出口開口部まで移されるのを可能にし、加えて、スラリーが出口パイプに入るときのスラリーの表面を漸進的に縮小する。加えて、空気が通気チャンネルを通して孔６から引き出され得、それによりファンネル３”の内部の近くでのアンモニア含有量を低減する。
【０１４０】
図９及び図１０が、本発明の第１の態様によるデバイス１及び本発明の第４の態様によるデバイス２００の２つの実例を示しており、これらのそれぞれが動物小屋フロアのところで開口部２０の中に据え付けられている。破線が、示されるデバイス１、２００を接続させることができるか又は隣接させることができる別のデバイス１、２００を示している。ＨＤＰＥで作られる包囲部分が、通気スペース５と、ファンネル３と、本発明の第４の態様によるデバイスの場合にはさらに出口パイプ８と、を囲むのに必要な支持力を提供する。デバイス１、２００が少なくとも１つの出口パイプに接続され、少なくとも１つの出口パイプが水平方向から約０．２％の下方への内角の傾斜角Ａ２を好適には有することができ、その結果、それぞれのファンネル３からのスラリーが同じ方向に移動する傾向を有するようになる。
【０１４１】
１つ又は複数の実施例では、出口パイプ８が任意の適切な材料の出口パイプであってよく、約２５０ｍｍの直径を有し、ここでは、少なくとも１つの表面開口部９が出口パイプ８の長さに沿って配置され、出口パイプ８が図１ｃ〜ｄ及び１０に示されるようにファンネル３の下側開口部３ｂに接続され得るか又は図８〜９に示されるように中間パイプ・セクションを介してファンネル３の下側開口部３ｂ’に接続され得る。この接続は接着又は溶接によって形成されてスラリーのための密閉経路を提供し、その結果、スラリーが通気スペース５に入ることができなくなる。
【０１４２】
１つ又は複数の実例では、例えばデバイスから取り除かれた包囲部分のセクション１７から作られる、カバー要素１０が、ファンネル２の上側縁部３ａ’の近くで又はファンネル２の上側縁部３ａ’のところで通気孔６の上方においてデバイス１、２００に取り付けられ得、その結果、カバー要素１０と通気孔６との間に一定の距離が作られる。この距離は１〜７ｃｍの幅を有してよく、２〜４ｃｍなどの幅を有し、ファンネル３の内部３’からの空気を通気孔６に到達させて通気孔６を通して中に入れるのを可能にし、その結果、スラリーが上方から通気孔６に入ることが防止される。例示のカバー要素１０が図９及び１０に示される。
【０１４３】
図９及び１０に示されるように、組み立てられたシステム２１が複数の通気スペース５を有し、複数の通気スペース５が通気チャンネル５’を形成する。この通気チャンネル５’に接続されて、通気手段（図示せず）、洗浄手段２２、排水手段２３、及び空気処理システム（図示せず）が据え付けら得る。通気手段が１つ又は複数のブロアを有することができ、好適には、使用時に空気をファンネル３から引き出して通気チャンネル５’内の出口のところで排出するように、構成され得る。ここでは、空気が、空気中の汚染物質また特にはアンモニアを除去するのを可能にするように、回収及び処理され得る。システム２１が、別法として、出口の手前で空気を処理することができる空気処理システム（図示せず）を有することができる。空気処理システムが、硫酸を含有する液体を通気チャンネル５’の中へ噴射するように構成される噴射スプレーを有することができる。このスプレーは、通気チャンネル５’の大きい面積を処理するように構成される場合に最も効率的である。硫酸が液体中で空気中のアンモニアを捕捉することになり、液体が、次いで、例えば排水手段１５及び吸引手段を使用することなどにより、排出され得る。好適には、さらなる処理を行わずに空気が外部環境へ放出され得るようにするために空気が十分に洗浄される。この空気処理システムは、システム２１がそこから構築されるような予め製作される部分の一部分であってよい。この洗浄手段２２が、好適には通気チャンネル５’の底部と頂部とのほぼ中間に一致する距離の近くに据え付けられるホース２３を有することができ、その結果、通気チャンネル５’を囲む内部表面に沿わせてホース２３により下方に水を噴射することにより、通気チャンネル５’の大きい面積が洗浄され得るようになる。好適には、洗浄手段２２が包囲部分４に固着される。包囲部分４が、包囲部分４の底部４ｂの部分に排水手段２４をさらに有することができ、その結果、液体が通気チャンネル５’から排水され得るようになる。洗浄手段２２、２３及び排水手段２４が、デバイス１、２００をシステム２１に据え付けて組み付ける前に、各デバイス１、２００の中に又はデバイス１、２００のうちの１つのデバイスの中に据え付けられ得る。一列の又はそれより多い列のデバイス１、２００、すなわち、１つ又は複数のシステム２１などが、動物小屋の開口部２０の中に据え付けられ得る。
【０１４４】
加えて又は別法として、空気供給手段がシステム２１の中に据え付けられ得、それにより、一部の通気孔６を通して又はファンネル３の中などといったようにデバイス１、２００の中に設けられる空気供給開口部を通して動物小屋フロアのパーツに対して新鮮な空気を提供する。上記新鮮な空気を含有及び移送するためのチューブが上記孔６又は空気供給開口部に直接に接続され得、チューブを通して新鮮な空気を提供することができる、コンプレッサ・ユニット、送風ユニット、通気ユニット、ポンプ、又は類似物まで延在することができる。通気孔６から、又は空気供給開口部から、或いはその両方から、空気が、空気体積の空間的範囲を制限するプレート構造などの構造によって囲まれる空洞１４により動物小屋の特定のエリアの方にさらに誘導され得る。
【０１４５】
本発明は、動物小屋において、動物小屋の開口部２０の中にデバイス１、２００を据え付ける方法にさらに関連する。デバイス１が予め製作されるパーツとして製造され、その結果、デバイス１が開口部２０の中に容易に据え付けられ得るようになる。開口部２０の底部は砂などから作られていてもよく、デバイス１、２００を配置するのに対応するような十分な堅牢性を有する。デバイス１が据え付け時に開口部２０の底部に単純な形で配置され得、それにより、デバイスが自立式であることを理由として別の支持手段が追加されることになる。デバイス１、２００の両方の態様に共通することであるが、ファンネルの下側開口部３ｂ及び通気スペース５が適切な出口手段に接続される。
【０１４６】
１つ又は複数の実例では、本発明の第１の態様によるデバイス１が、動物小屋開口部２０の底部レベルの下に共通の出口パイプ８を最初に提供する方法を使用して、据え付けられ、ここでは、出口パイプ８が、出口パイプ８から開口部２０の底部レベルまで上方に延在するパイプ・セクションを有する。出口パイプが砂又は砂利によって少なくとも部分的に覆われてよい。１つ又は複数の通気開口部７及び通気孔６が少なくとも大部分のデバイス１の包囲部分４の中に作られ、その結果、空気がデバイス１の外部と通気スペース５との間を移動することができるようになる。パイプ・セクションが出口パイプ８への出口開口部９を有し、このパイプ・セクションに対して、例えば接着又は溶接により或いはカプラを使用することによりファンネルが接続され、それにより、パイプ・セクション及び出口開口部９を通して出口パイプ８の内部までスラリーを漏洩なしで移送することが可能となる。デバイス１がパイプ・セクションに接続されている場合、包囲部分４の底部が、例えば開口部２０に配置される出口パイプの上に少なくとも部分的に配置される物質である開口部２０の底部の上で静止することができ、つまりその上で平衡状態を維持することでき、開口部２０の中に配置され得る。デバイス１が開口部２０の中で降下させられ、一列に据え付けられ、ここでは、デバイス１の通気開口部７が互いの方を向き、それにより共通の通気チャンネル５’を作る。デバイス１の側面上に突出部があることにより、隣接する別個の列のデバイスの開口部２０の側面の方を向く包囲部分の隣接する部分が最小距離Ｄのところに配置され得るようになる。このスペースは、開口部２０内でのデバイス１の位置を維持することをさらなる目的として、塞がれていてよい。隣接する通気開口部７が、囲まれた空気ダクトをデバイス１の間に作るように接続され得、これが、例えば、通気開口部７に隣接して配置される包囲部分４の当接部分を接着することなどによって行われる。カバー要素１０が通気孔６を覆うように据え付けられ、通気孔６が、後で配置される横木の動物小屋フロア１２によって露出される。その後、１つ又は複数のフロア１２がデバイス１の上に据え付けられ、それにより動物小屋のフロアを形成する。
【０１４７】
１つ又は複数の実例では、回転成形によって作られ、ファンネル３に下側開口部３ｂを有さないように製作される、本発明の第４の態様によるデバイス２００が、デバイス２００のファンネル３を出口パイプ８に接続する前の任意のタイミングにおいてこの下側開口部３ｂを設けられ得る。この接続は、例えば、製造施設で形成され得るか、デバイス２００を据え付ける場所である農場で形成され得るか、或いは動物小屋の開口部２０の中において形成される。したがって、デバイス２００を据え付けるためのこの方法は、下側開口部３ｂを設けるときの場所及び時間によって制限を受けることがなく、加えて、通気孔、通気開口部、及びプレート要素などの、他の追加の構造部をデバイスに追加するか又は設けるときの時間及び場所によって制限を受けることもない。同様のことが本発明の第１の態様によるデバイス１にも当てはまる。
【０１４８】
１つ又は複数の実例では、本発明の第４の態様によるデバイス２００が、１つ又は複数の通気開口部７及び通気孔６を一体ボディ２に最初に設ける方法を使用して、据え付けられ得る。ファンネル３の最も下側の部分の近くに下側開口部３ｂを設けて、一体ボディによって囲まれる通気スペースの内部に出口パイプ８を配置して、出口パイプ８を下側開口部３ｂに接続し、例えば表面開口部９を作ることにより、出口パイプ８が上記表面開口部９のリムを下側開口部３ｂの下側縁部に接続する。デバイス２００を動物小屋開口部２０の底部に配置し、一列のデバイス２００を作る。デバイスが、通気開口部７を互いの方に向けるように、配置され、これらの通気開口部７が一体に十分に密閉されるか又は互いに固定され、それによりこの列の中に通気チャンネル５’が作られる。包囲部分４と開口部２０の側面との間の又はデバイス１、２００の隣り合う列の間の隙間を塞ぐ。通気チャンネル５’をスラリーによる汚染から保護するためにカバー要素１０を通気孔の上に配置し、フロア１２をデバイス２００の列の上に配置する。別法として又は加えて、出口パイプ８とファンネル３との間のすべての接続又は一部の接続が、動物小屋開口部２０の中で形成され得る。
【０１４９】
１つ又は複数の実例では、本発明の態様によるデバイス１、２００がその表面の近くに複数の通気孔６を装備し、これらの複数の通気孔６が、通気開口部７を設けるときに包囲部分の側面４ａから切断される包囲部分４の一部分から作られるカバー要素１０によって覆われる。カバー要素１０が、分離する材料部片を用いて、ファンネルの内部の上に取り付けられ得、その結果、通気孔６がカバー要素１０によって閉鎖されない。その表面内に開口部９を有する出口パイプが、ファンネルの設けられる下側開口部３ｂに接続される。複数のファンネル３が同じ出口パイプ８に接続され得るか又は個別の出口パイプ８に接続され得、その後、出口パイプ８が動物小屋開口部２０の中に接続され得、それにより各々の列のデバイスのための共通の出口パイプが作られる。包囲部分４は、各列のための共通の通気チャンネル５’を形成するように配置及び／又は接続されてもよい。これらの列の複数のセクションは、開口部２０の中へ降下させられる前に組み立てられてよい。
【０１５０】
デバイス１、２００の据え付け方法は、システム２１の一部分であるデバイスの列を完全に収容するのに、動物小屋の中に比較的浅い開口部２０しか必要としない。開口部２０は据え付け時に設けられ得るか、又は例えばスラリー・ピットなどの予め存在する開口部であってもよい。システム２１の据え付け時、包囲部分４の外側表面が動物小屋開口部２０の隣接する内側表面の方を、或いは同じ列のデバイス１、２００の一部であるか又は隣接する列のデバイス１、２００の一部である隣接するデバイスの方を向いていてよい。開口部２０の側壁の隣接する列のデバイス１、２００の方を向く包囲部分の部分では、必然的に存在するか又は包囲部分の側面４ａ上にある突出部４ｐｒｏによって設けられる隙間が、コンクリートのような安定した形状を有する必要のない砂利又は砂などの任意の適切な充填材料で充填され得る。フロア１２が、動物がその上を動き回れるようにするため、及びスラリーが上記デバイス１、２００に入るのを可能にするために、ファンネルの上に配置され得る。フロア１２が、包囲部分４の間の充填材料によって支持され得る。
【０１５１】
好適には、デバイス１の頂部と動物小屋フロアのレベルとの間に垂直方向の隙間が存在することになり、その結果、格子状のフロア１２が上に配置される場合、格子状のフロアの頂部が動物小屋フロアの実質的なレベルにくることになる。実質的なレベルとは０〜２ｃｍの範囲内であることを意味し、したがって、動物が動物小屋内で中実のフロア１５から格子状のフロア１２まで快適に歩行することができる。
【０１５２】
出口パイプ８が、畜舎の、或いはスラリー及び排泄物を保管又は処理することができる建物の、外部に設けられる出口に接続される。通気スペース５又は通気チャンネル５’が１つ又は複数の通気システムに接続され、空気が、通気スペース５又は通気チャンネル５’から、１つ又は複数の通気開口部を介して畜舎の外部に移され得るか、或いは空気処理施設に移され得る。
【符号の説明】
【０１５３】
１、２００  デバイス
２  一体ボディ
３  ファンネル
３’  ファンネルの内部
３”  ファンネルの外部
３ａ  ファンネルの上側開口部
３ａ’  ファンネルの上側縁部
３ｂ  ファンネルの下側開口部
４  包囲部分
４ａ  包囲部分の側面
４ｂ  包囲部分の底部
４，ｐｒｏ  包囲部分の側面上の突出部
４，ｇａｐ  隙間
５  通気スペース
５’  通気チャンネル
６  通気孔
７  通気開口部
８  出口パイプ
９  出口開口部
１０  カバー要素
１１  ファンネルの側面
１１’  ファンネルの側面の内部表面
１２  フロア
１２’  フロア内の孔
１３  プレート構造
１４  空洞
１５  例えばコンクリート・フロアなどの、中実のフロア
１６  剛体構造
１７  包囲部分のセクション
１８  貫通するチャンネル
１９  動物小屋
２０  動物小屋開口部
２１  システム
２２  洗浄手段
２３  ホース
２４  排水手段
２５  空気供給開口部
２６  空気供給手段
Ａ１  垂直方向からの内部表面の内角の傾斜角
Ａ２  パイプ・ユニットの水平方向からの内角の傾斜角
Ａ３  包囲部分の下側部分の垂直方向からの内角の傾斜角
Ｂ１  ファンネルの上側水平方向延在範囲
Ｂ２  ファンネルの下側水平方向延在範囲
Ｂ３  ２つのファンネルを有するデバイスの水平方向延在範囲
Ｈ１  ファンネルの垂直方向延在範囲
Ｈ２  排出セクションの垂直方向延在範囲
ｃａ  上側開口部の中心
ｃｂ  下側開口部の中心
Ｚ  上側開口部の中心からの距離
Ｄ  突出部の先端部と包囲部分の外側表面との間の距離
Ｓ  突出部の間の距離
【図１ａ】
2021516043.tif 000003
【図１ｂ】
2021516043.tif 000004
【図１ｃ】
2021516043.tif 000005
【図２】
2021516043.tif 000006
【図３】
2021516043.tif 000007
【図４】
2021516043.tif 000008
【図５】
2021516043.tif 000009
【図６】
2021516043.tif 000010
【図７】
2021516043.tif 000011
【図８】
2021516043.tif 000012
【図９】
2021516043.tif 000013
【図１０】
2021516043.tif 000014
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
動物小屋からスラリー又は類似物を収集及び除去するのに使用するためのデバイスであって、前記デバイスは、回転成形製造プロセスによって作られた一体ボディを有し、前記一体ボディは、
１つ又は複数のファンネルであって、各ファンネルが、上側縁部によって囲まれた上側水平方向エリアを有する少なくとも１つの上側開口部、及び下側縁部によって囲まれた下側水平方向エリアを有する下側開口部を有し、前記上側水平方向エリアが前記下側水平方向エリアより大きく、したがって前記ファンネルの内部が、前記ファンネルの前記上側開口部から前記下側開口部まで延びている、１つ又は複数のファンネルと、
前記ファンネルの前記下側縁部から前記ファンネルの前記上側縁部まで前記ファンネルを囲む包囲部分であって、それにより前記包囲部分と前記ファンネルとの間であって前記一体ボディ内に通気スペースが画定される、包囲部分と
を有している、デバイス。
【請求項２】
前記下側開口部が出口パイプに接続されるように構成され、それにより前記ファンネルから前記出口パイプまで、スラリーのための密閉経路が提供される、請求項１に記載のデバイス。
【請求項３】
前記ファンネルが、前記ファンネルの前記上側縁部の近くに配置される１つ又は複数の通気孔を有する、請求項１に記載のデバイス。
【請求項４】
前記デバイスが、前記包囲部分に少なくとも１つの通気開口部を有し、それにより経路が提供され、前記経路を通って、空気が、前記ファンネルの内側との間で前記１つ又は複数の通気孔を通って前記通気開口部まで流れることができる、請求項３に記載のデバイス。
【請求項５】
前記通気孔のうちの少なくともいくつかが１つ又は複数のカバー要素によって覆われ、それによりスラリー又は類似物が前記通気孔を通って前記通気スペースに入ることが防止される、請求項３に記載のデバイス。
【請求項６】
前記デバイスが、高密度ポリエチレン（ＨＤＰＥ）材料を含むプラスチック材料で作られる、請求項１に記載のデバイス。
【請求項７】
前記ファンネルが、３０〜６０度の範囲の、垂直方向からの傾斜角Ａ１である内側表面を有する、請求項１に記載のデバイス。
【請求項８】
前記一体ボディが少なくとも２つのファンネルを有し、前記ファンネルが並んで配置され、それにより前記第１のファンネルの前記上側縁部の少なくとも一部分が前記第２のファンネルの前記上側縁部の少なくとも一部分と隣接している、請求項１に記載のデバイス。
【請求項９】
前記包囲部分が、前記包囲部分の外側表面と、隣接する要素との間に最小距離の隙間を維持するために、前記包囲部分の前記外側表面上に複数の突出部を有している、請求項１に記載のデバイス。
【請求項１０】
単一のファンネルを有する前記デバイスの最大幅が、およそ１．０〜１．８ｍの間である、請求項１に記載のデバイス。
【請求項１１】
前記デバイスの最大高さが、およそ０．７〜１．８ｍの間である、請求項１に記載のデバイス。
【請求項１２】
前記デバイスが、一方の端部のところで前記ファンネルの前記内側表面の第１の部分に取り付けられ且つ第２の端部のところで前記ファンネルの内部の第２の部分に取り付けられるプレート構造であって、それにより前記プレート構造と前記ファンネルの前記内部の前記囲まれた部分との間の空洞を囲むプレート構造を有し、前記空洞は、前記ファンネルの外部から前記ファンネルの前記内部に供給される新鮮な空気を、前記空洞を通して前記ファンネルの前記上側開口部に向かうように方向付けるための空気チャンネルとして使用されるように構成されている、請求項１に記載のデバイス。
【請求項１３】
請求項１に記載のデバイスを複数、動物小屋の動物小屋開口部に据え付ける方法であって、
・前記動物小屋開口部に出口パイプを据え付けるステップと、
・各ファンネルの前記下側開口部を出口パイプに接続するステップであって、それにより密閉経路が前記ファンネルと前記出口パイプとの間に作られる、ステップと、
・前記動物小屋開口部の底部の近くに前記複数のデバイスを並んで配置するステップと
を含む、方法。
【請求項１４】
前記方法が、
・各デバイスにおいて前記包囲部分の１つのセクションを前記包囲部分の他の部分から分離するステップであって、それにより通気開口部を提供するステップと、
・前記複数のデバイスの少なくともいくつかのデバイスの前記ファンネルの前記上側縁部の近くに１つ又は複数の通気孔を提供するステップであって、それにより空気が前記動物小屋と前記通気スペースとの間で移送され得るステップと、
・前記動物小屋開口部の底部の近くに前記複数のデバイスを並んで配置するステップであって、それにより前記デバイスの前記通気スペースを有する通気チャンネルが提供されるステップと
をさらに含む、請求項１３に記載の方法。
【請求項１５】
前記方法が、
前記包囲部分の前記セクションの一部分を前記ファンネルの前記上側縁部の近くに取り付けるステップであって、それにより前記包囲部分の前記セクションが前記デバイスの前記通気孔のうちの少なくともいくつかの通気孔を覆うステップ
をさらに含む、請求項１３に記載の方法。
【請求項１６】
前記方法が、
適切な固定方法によって前記複数のデバイスを接続し、それにより実質的に密閉された通気チャンネルを提供するステップ
をさらに含む、請求項１３に記載の方法。
【請求項１７】
前記包囲部分がその外側表面上に複数の突出部を有し、前記複数の突出部は、前記包囲部分の前記外側表面と、動物小屋での据え付け時に隣接する要素との間に最小距離Ｄの隙間を提供し、また
前記方法が、前記隙間を所定の材料で充填するステップを含み、それにより剛体構造を提供し、且つ前記デバイスを据え付け位置に固定する、請求項１３に記載の方法。
【請求項１８】
前記方法が、
前記デバイスの前記ファンネルの前記上側開口部の上を覆うように、複数の貫通孔を有する少なくとも１つのフロアを配置するステップであって、前記少なくとも１つのフロアが前記剛体構造のうちの少なくともいくつかの剛体構造によって支持され、それにより前記フロアの重量及び前記フロア上への荷重が前記剛体構造に伝達されるステップ
を含む、請求項１７に記載の方法。
【請求項１９】
動物のための動物小屋であって、前記動物小屋が、請求項１３に記載の据え付け方法を使用して、前記動物小屋の動物小屋開口部内に据え付けられる請求項１に記載のデバイスを有する、動物小屋。
【請求項２０】
前記デバイスのうちの少なくともいくつかのデバイスが、複数の貫通孔を有する少なくとも１つのフロアであって、前記デバイスの前記ファンネルの前記上側開口部の上に配置される少なくとも１つのフロアによって覆われる、請求項１９に記載の動物小屋。
【国際調査報告】
2021516043.tif 000015
2021516043.tif 000016
2021516043.tif 000017